(57)【要約】  入力を処理するための携帯端末、携帯端末におけるユーザインターフェース方法、及び携帯端末のカバーが提供される。前記カバーのウィンドウ領域に対応する携帯端末のタッチスクリーンの第１領域が画成され、前記カバーの非ウィンドウ領域に対応する携帯端末のタッチスクリーンの第２領域が画成される。前記カバーが前記タッチスクリーンの上に閉じられている状態で、前記第２領域で第１入力が検出され、該第１入力が、第１制御コマンドとして処理される。
2017511919.tif 000002
【特許請求の範囲】
【請求項１】
携帯端末における入力処理方法において、
携帯端末のカバーのウィンドウ領域に対応するタッチスクリーンの第１領域を画成するステップと、
前記カバーの非ウィンドウ領域に対応する前記タッチスクリーンの第２領域を画成するステップと、
前記タッチスクリーン上に、カバーが閉じられた状態で、第２領域で第１入力を検出するステップと、
前記第１入力を第１制御コマンドとして処理するステップと、
を含むことを特徴とする方法。
【請求項２】
カバーのタイプを判断するステップをさらに含み、
前記第１領域及び第２領域は、前記カバーのタイプによって定められる、請求項１に記載の方法。
【請求項３】
前記カバーが、前記携帯端末のタッチスクリーン上に、閉じられている状態で、イベントが発生されたか否かを判断するステップをさらに含み、
前記第１領域及び第２領域は、前記イベントの発生によって定められる、請求項１に記載の方法。
【請求項４】
前記カバーが、前記タッチスクリーン上に、閉じられている状態で、第１領域で第２入力を検出するステップ、及び
前記第２入力を第２制御コマンドとして処理するステップをさらに含み、
前記第１入力及び第２入力は、同一のタイプの入力である、請求項１に記載の方法。
【請求項５】
前記カバーが、前記タッチスクリーン上に、閉じられている状態で、前記第１領域で第３入力を検出するステップと、
前記第３入力を第３制御コマンドとして処理するステップと、
前記カバーが、前記タッチスクリーン上に、閉じられている状態で、前記第２領域で第４入力を検出するステップと、
前記第４入力を第４制御コマンドとして処理するステップとをさらに含み、
前記第３入力及び第４入力は、前記第１入力及び第２入力のタイプとは異なる、同一のタイプの入力である、請求項４に記載の方法。
【請求項６】
情報が、前記第１領域に表示され、前記第２領域には表示されない、請求項１に記載の方法。
【請求項７】
前記カバーからカバータイプ情報を受信するステップをさらに含む、請求項１に記載の方法。
【請求項８】
前記カバータイプ情報は、前記カバーのウィンドウ領域のサイズ及び位置のうちの少なくとも一つに関する情報と、前記カバーの非ウィンドウ領域のサイズ及び位置のうちの少なくとも一つに関する情報とを含む、請求項７に記載の方法。
【請求項９】
前記カバーが、前記タッチスクリーン上に、閉じられている状態で、第１及び第２領域により前記タッチスクリーンのタッチセンシング領域の一部を活性化するステップをさらに含む、請求項１に記載の方法。
【請求項１０】
前記カバーが、前記タッチスクリーン上に閉じられている状態で、前記第１及び第２領域による前記タッチスクリーンのタッチセンシング領域の一部を活性化するステップをさらに含む、請求項１に記載の方法。
【請求項１１】
前記タッチスクリーン上に、カバーが閉じられると、前記第１領域のスクリーンと、前記第２領域のタッチセンシング領域とを活性化するステップをさらに含む、請求項１に記載の方法。
【請求項１２】
前記第１入力の処理は、
前記第２領域で検出された前記第１入力により前記第１領域に情報を表示するステップを含む、請求項１に記載の方法。
【請求項１３】
前記情報は、音楽再生情報、カメラプレビュー情報、通話中着信情報及び少なくとも一つのアプリケーションに関する情報のうちの少なくとも一つを含む、請求項１２に記載の方法。
【請求項１４】
携帯端末において、
タッチスクリーンと、
前記携帯端末のカバーのウィンドウ領域に対応するタッチスクリーンの第１領域を画成し、前記カバーの非ウィンドウ領域に対応する前記タッチスクリーンの第２領域を画成し、前記タッチスクリーン上に、カバーが閉じられている状態で、第２領域で第１入力を検出し、前記第１入力を第１制御コマンドとして処理するように構成されたプロセッサとを含む携帯端末。
【請求項１５】
前記カバーの非ウィンドウ領域は、タッチ入力が適用できる入力領域を含み、
前記プロセッサは、前記第２領域で前記カバーの非ウィンドウ領域を通じて適用されるタッチ入力を検出するように構成される、請求項１４に記載の携帯端末。
【請求項１６】
前記カバーの非ウィンドウ領域は、キー入力が適用されるキーパッドを含み、
前記プロセッサは、前記第２領域で前記カバーの非ウィンドウ領域のキーパッドを通じて適用されるキー入力を検出するように構成される、請求項１４に記載の携帯端末。
【請求項１７】
前記プロセッサは、前記キーパッドを通じてキー入力を検出した結果として、テキスト入力を受信し、前記テキスト入力による機能の遂行を制御するように構成される、請求項１６に記載の携帯端末。
【請求項１８】
カバーからカバータイプ情報を受信する受信器をさらに含み、
前記プロセッサは、前記カバーに関するカバータイプ情報をチェックし、前記カバータイプ情報により、前記第１及び第２領域を定める、請求項１４に記載の携帯端末。
【請求項１９】
前記カバータイプ情報を格納するメモリをさらに含む、請求項１８に記載の携帯端末。
【請求項２０】
前記カバータイプ情報は、前記カバーのウィンドウ領域のサイズ及び位置のうちの少なくとも一つに関する情報と、前記カバーの非ウィンドウ領域のサイズ及び位置のうちの少なくとも一つに関する情報とを含む、請求項１８に記載の携帯端末。
【請求項２１】
前記カバーのウィンドウ領域は、透明又は半透明であり、前記カバーの非ウィンドウ領域は不透明である、請求項１４に記載の携帯端末。
【請求項２２】
前記プロセッサは、前記タッチスクリーンの第１領域及び第２領域でタッチ入力を感知するためのタッチ入力認識感度が互いに異なって設定されるように構成される、請求項１４に記載の携帯端末。
【請求項２３】
前記プロセッサは、前記タッチスクリーン上に、前記カバーが閉じられているか否かにより、前記タッチスクリーンの第１及び第２領域でタッチ入力を感知するためのタッチ入力認識感度を設定するように構成される、請求項１４に記載の携帯端末。
【請求項２４】
前記携帯端末の背面の内側に配置されるバッテリーパケットをさらに含み、
前記タッチスクリーンは、前記携帯端末の前面上に形成され、
前記カバーは、
前記バッテリーパケットを保護するために、前記携帯端末の背面上に設けられるバッテリーカバー部と、
前記携帯端末のタッチスクリーンを覆うために、前記バッテリーカバー部と連結された前面カバー部とを含む、請求項１４に記載の携帯端末。
【請求項２５】
前記カバーは、
前記携帯端末の前面を覆うように構成された前面カバー部と、
前記携帯端末の背面を覆うように構成された背面カバー部と、
前記前面カバー部と背面カバー部とを連結するように構成された連結部とを含む、請求項１４に記載の携帯端末。
【請求項２６】
外部磁力の変化を感知する磁力センサーをさらに含み、
前記プロセッサは、前記磁力センサーにより感知された外部磁力の変化によって前記タッチスクリーンを制御するように構成される、請求項１４に記載の携帯端末。
【請求項２７】
携帯端末において、
透明又は半透明のウィンドウ領域と、不透明の非ウィンドウ領域とを含み、前記携帯端末のタッチスクリーンを覆うカバーと、
前記カバーの非ウィンドウ領域に該当する第２領域と、前記カバーのウィンドウ領域に該当する第１領域とを含むタッチスクリーンと、
前記タッチスクリーン上に前記カバーが閉じられている状態で、前記タッチスクリーンの第２領域への入力による前記タッチスクリーンの第１領域に情報の表示を制御するように構成されたプロセッサとを含む、携帯端末。
【請求項２８】
前記プロセッサは，前記カバーからカバータイプ情報を受信するように構成される、請求項２７に記載の携帯端末。
【請求項２９】
前記プロセッサは、カバータイプ情報をチェックし、前記カバータイプ情報により、前記タッチスクリーンの第１領域及び第２領域を決める、請求項２８に記載の携帯端末。
【請求項３０】
前記カバータイプ情報は、前記カバーのウィンドウ領域のサイズ及び位置のうちの少なくとも一つに関する情報と、前記カバーの非ウィンドウ領域のサイズ及び位置のうちの少なくとも一つに関する情報とを含む、請求項２８に記載の携帯端末。
【請求項３１】
携帯端末のカバーにおいて、
前記携帯端末の前面に形成されるタッチスクリーンを覆うように構成された前面カバー部と、
前記携帯端末の背面を覆うように構成された背面カバー部と、を含み、
前記前面カバー部は、透明又は半透明のウィンドウ領域と、不透明の非ウィンドウ領域とを含み、
前記前面カバー部の非ウィンドウ領域は、入力領域を含み、前記前面カバー部が、前記携帯端末のタッチスクリーンを覆う間、前記非ウィンドウ領域の入力領域を通じて前記タッチスクリーンに入力が適用される、携帯端末のカバー。
【請求項３２】
前記携帯端末にカバータイプ情報を提供するように構成されたカバータイプ情報提供部をさらに含み、
前記カバータイプ情報は，前記カバーのウィンドウ領域のサイズ及び位置のうちの少なくとも一つに関する情報と、前記カバーの非ウィンドウ領域のサイズ及び位置のうちの少なくとも一つに関する情報とを含む、請求項３１に記載のカバー。
【請求項３３】
前記前面カバー部は、磁力を発生するように構成された磁力印加部を含む、請求項３２に記載のカバー。
【請求項３４】
前記非ウィンドウ領域の一部に、非ウィンドウ領域を通じた入力が、前記非ウィンドウ領域の他の部分と視覚的に区別される、請求項３１に記載のカバー。
【請求項３５】
前記非ウィンドウ領域の少なくとも一部は、導電性シリコン、静電気防止物質、銀、ナイロンのうちの少なくとも一つから形成される、請求項３１に記載のカバー。
【請求項３６】
前記非ウィンドウ領域の前記入力領域は、前記携帯端末にキー入力が適用されるように構成されたキーパッドを含む、請求項３１に記載のカバー。
【請求項３７】
携帯端末における入力処理のための製品であって、前記製品は、実行の際に、
前記携帯端末のカバーのウィンドウ領域に対応するタッチスクリーンの第１領域を画成するステップと、
前記カバーの非ウィンドウ領域に対応する前記タッチスクリーンの第２領域を画成するステップと、
前記タッチスクリーン上に、カバーが閉じられている間、第２領域で第１入力を検出するステップと、
前記第１入力を第１制御コマンドとして処理するステップと、
を行う、一つ以上のプログラムを含む機械読取り可能媒体を含む製品。
【発明の詳細な説明】
【技術分野】
【０００１】
本発明は、携帯端末に関し、より詳しくは、携帯端末、携帯端末におけるユーザインターフェース方法、及び携帯端末のカバーに関する。
【背景技術】
【０００２】
スマートフォン、パソナールコンピュータ、タブレットなどの携帯端末は、多様なアプリケーションを介して、ユーザに様々な有用な機能を提供している。このような携帯端末は、多様な機能を通じて様々な形態の情報を利用できる機器へ変貌しつつある。
【発明の概要】
【発明が解決しようとする課題】
【０００３】
携帯端末のカバーは、通常、携帯端末の前面に形成されたディスプレイの全体を覆う構造で開発されている。前記ディスプレイ画面が、前記カバーにより覆われているので、ユーザは、ディスプレイ画面を利用できないという問題があった。
【課題を解決するための手段】
【０００４】
本発明は、少なくとの上述の問題及び／又は短所を解決するために、少なくとも後述の利点を提供することにある。従って、本発明の一態様は、携帯端末のカバーを閉じた状態においても、ユーザが、携帯端末のディスプレイ画面のうちの少なくとも一部を確認できるようにする、携帯端末、携帯端末におけるユーザインターフェース方法、及び携帯端末のカバーを提供する。
【０００５】
本発明の他の態様は、カバーが、携帯端末のディスプレイ画面を覆うとき、携帯端末のディスプレイ画面のうちの一部を見せるウィンドウ領域を提供し、ユーザが、カバーのウィンドウ領域に該当するディスプレイ画面の領域を確認できるようにして、カバーのウィンドウ領域に該当する領域上のディスプレイが、様々な方式で制御できるようにする、携帯端末、携帯端末におけるユーザインターフェース方法、及び携帯端末のカバーを提供することである。
【０００６】
本発明の一態様によれば、携帯端末における入力処理方法が提供される。入力処理のための携帯端末、携帯端末における方法、及び携帯端末のカバーが提供される。前記カバーのウィンドウ領域に対応する携帯端末のタッチスクリーンの第１領域が画成され、前記カバーの非ウィンドウ領域に対応する携帯端末のタッチスクリーンの第２領域が画成される。前記タッチスクリーン上に、カバーが閉じられている間、第２領域で第１入力を検出し、前記第１入力を第１制御コマンドとして処理する。
【０００７】
本発明の他の態様によれば、タッチスクリーンと、プロセッサとを含む携帯端末が提供される。前記プロセッサは、前記携帯端末のカバーのウィンドウ領域に対応するタッチスクリーンの第１領域を画成し、前記カバーの非ウィンドウ領域に対応する前記タッチスクリーンの第２領域を画成し、前記タッチスクリーン上に、カバーが閉じられている間、第２領域で第１入力を検出し、前記第１入力を第１制御コマンドとして処理するように構成されている。
【０００８】
本発明のまた他の態様によれば、携帯端末のタッチスクリーンを覆うために、透明又は半透明のウィンドウ領域と、不透明の非ウィンドウ領域とを含むカバーを備える携帯端末が提供される。前記タッチスクリーンは、前記カバーのウィンドウ領域に該当する第１領域と、前記カバーの非ウィンドウ領域に該当する第２領域とを含む。前記携帯端末は、また前記タッチスクリーンが、カバーで覆われている間、前記タッチスクリーンの第２領域への入力により、前記タッチスクリーンの第１領域で、情報の表示を制御するように構成されたプロセッサを含む。
【０００９】
また、本発明の他の態様によれば、携帯端末のカバーが提供される。前記携帯端末のカバーは、前記携帯端末の前面に形成されるタッチスクリーンを覆うように構成された前面カバー部を含む。前記カバーは、さらに前記携帯端末の背面を覆うように構成された背面カバー部を含む。前記前面カバー部は、透明又は半透明のウィンドウ領域と、不透明の非ウィンドウ領域とを含み、前記前面カバー部の非ウィンドウ領域は、入力領域を含み、前記前面カバー部が前記携帯端末のタッチスクリーンを覆っている間、前記非ウィンドウ領域の入力領域を通じて、前記タッチスクリーンに入力が適用される。
【００１０】
本発明のまた他の態様によれば、携帯端末における入力処理のための製品が提供される。前記製品は、実行の際に、
前記携帯端末のカバーのウィンドウ領域に対応するタッチスクリーンの第１領域を定めるステップと、
前記カバーの非ウィンドウ領域に対応する前記タッチスクリーンの第２領域を定めるステップと、
前記タッチスクリーン上に、カバーが閉じられている間、第２領域で第１入力を検出するステップと、
前記第１入力を第１制御コマンドとして処理するステップと、
を行う、一つ以上のプログラムを含む機械読取り可能媒体を含む。
【００１１】
本発明の上記及び他の態様、特徴及び利点は、添付の図面を参照して、以下の詳細な説明からより明らかになる。
【図面の簡単な説明】
【００１２】
【図１Ａ】本発明の一実施形態による、カバーの係合された携帯端末の外観斜視図である。
【図１Ｂ】本発明の一実施形態による、カバーの係合された携帯端末の外観斜視図である。
【図２Ａ】本発明の一実施形態による携帯端末のカバーを示す概略図である。
【図２Ｂ】本発明の一実施形態による携帯端末のカバーの背面を示す概略図である。
【図３】本発明の他の実施形態による携帯端末及びカバーを示す概略図である。
【図４Ａ】本発明の実施形態による、前面カバー部の構成を示した概略図である。
【図４Ｂ】本発明の実施形態による、前面カバー部の構成を示した概略図である。
【図５Ａ】本発明の実施形態による、多様なタイプのカバーを示した図面である。
【図５Ｂ】本発明の実施形態による、多様なタイプのカバーを示した図面である。
【図５Ｃ】本発明の実施形態による、多様なタイプのカバーを示した図面である。
【図５Ｄ】本発明の実施形態による、多様なタイプのカバーを示した図面である。
【図６】本発明の一実施形態による、携帯端末がカバーで覆われているか否かを判断する動作の概念を説明するための図である。
【図７】本発明の一実施形態による携帯端末のブロック図である。
【図８】本発明の一実施形態による携帯端末において、カバーのウィンドウ領域及びカバー入力領域に各々対応するタッチスクリーン上の第１領域及び第２領域を用いたユーザインターフェース操作を示すフローチャートである。
【図９】本発明の実施形態による、多様なタイプのカバーについて定められたタッチスクリーン領域を示す図である。
【図１０】本発明の実施形態による、多様なタイプのカバーについて定められたタッチスクリーン領域を示す図である。
【図１１】本発明の実施形態による、多様なタイプのカバーについて定められたタッチスクリーン領域を示す図である。
【図１２】本発明の実施形態による、多様なタイプのカバーについて定められたタッチスクリーン領域を示す図である。
【図１３】本発明の一実施形態による、タッチ入力を示す図である。
【図１４】本発明の一実施形態による携帯端末におけるタッチスクリーン上の第１領域と第２領域を用いた音楽再生情報の制御操作の一例を示すフローチャートである。
【図１５Ａ】本発明の一実施形態による携帯端末におけるタッチスクリーン上の第１領域と第２領域を用いた音楽再生情報の制御画面の一例を示す図である。
【図１５Ｂ】本発明の一実施形態による携帯端末におけるタッチスクリーン上の第１領域と第２領域を用いた音楽再生情報の制御画面の一例を示す図である。
【図１６】本発明の一実施形態による携帯端末におけるタッチスクリーン上の第１領域と第２領域を用いたカメラプレビューの制御操作の一例を示すフローチャートである。
【図１７】本発明の一実施形態による携帯端末におけるタッチスクリーン上の第１領域と第２領域を用いたカメラプレビューの制御画面の一例を示す図である。
【図１８】本発明の一実施形態による携帯端末におけるタッチスクリーン上の第１領域と第２領域を用いた通話中の制御操作を示すフローチャートである。
【図１９Ａ】本発明の一実施形態による携帯端末におけるタッチスクリーン上の第１領域と第２領域を用いた通話中の制御画面の一例を示す図である。
【図１９Ｂ】本発明の一実施形態による携帯端末におけるタッチスクリーン上の第１領域と第２領域を用いた通話中の制御画面の一例を示す図である。
【図２０Ａ】本発明の一実施形態による携帯端末におけるタッチスクリーン上の第１領域と第２領域を用いた通話中の制御画面の一例を示す図である。
【図２０Ｂ】本発明の一実施形態による携帯端末におけるタッチスクリーン上の第１領域と第２領域を用いた通話中の制御画面の一例を示す図である。
【図２１】本発明の一実施形態による携帯端末におけるタッチスクリーン上の第１領域と第２領域を用いたアプリケーションの制御操作を示すフローチャートである。
【図２２Ａ】本発明の一実施形態による携帯端末におけるタッチスクリーン上の第１領域と第２領域を用いたアプリケーションの制御画面の一例を示す図である。
【図２２Ｂ】本発明の一実施形態による携帯端末におけるタッチスクリーン上の第１領域と第２領域を用いたアプリケーションの制御画面の一例を示す図である。
【図２３Ａ】本発明の一実施形態による携帯端末におけるタッチスクリーン上の第１領域と第２領域を用いたアプリケーションの制御画面の一例を示す図である。
【図２３Ｂ】本発明の一実施形態による携帯端末におけるタッチスクリーン上の第１領域と第２領域を用いたアプリケーションの制御画面の一例を示す図である。
【図２４Ａ】本発明の他の実施形態によるキーパッドが形成されたカバーを示す図である。
【図２４Ｂ】本発明の他の実施形態によるキーパッドが形成されたカバーを示す図である。
【図２４Ｃ】本発明の他の実施形態によるキーパッドが形成されたカバーを示す図である。
【図２５】本発明の一実施形態による前面カバー部に形成されたキーパッドを示す図である。
【図２６Ａ】本発明の一実施形態による前面カバー部に形成されたキーを説明するための図面である。
【図２６Ｂ】本発明の一実施形態による前面カバー部に形成されたキーを説明するための図面である。
【図２６Ｃ】本発明の一実施形態による前面カバー部に形成されたキーを説明するための図面である。
【図２７】本発明の一実施形態によるフルスクリーン（ａ）及びミニスクリーン（ｂ）をそれぞれ示した図面である。
【図２８Ａ】本発明の一実施形態による第１タイプのミニスクリーンを示した図面である。
【図２８Ｂ】本発明の一実施形態による第２タイプのミニスクリーンを示した図面である。
【図２８Ｃ】本発明の一実施形態による第３タイプのミニスクリーンを示した図面である。
【図２８Ｄ】本発明の一実施形態による第４タイプのミニスクリーンを示した図面である。
【図２８Ｅ】本発明の一実施形態による第５タイプのミニスクリーンを示した図面である。
【図２９Ａ】本発明の一実施形態による第６タイプのミニスクリーンを示した図面である。
【図２９Ｂ】本発明の一実施形態による第７タイプのミニスクリーンを示した図面である。
【図２９Ｃ】本発明の一実施形態による第８タイプのミニスクリーンを示した図面である。
【図２９Ｄ】本発明の一実施形態による第９タイプのミニスクリーンを示した図面である。
【図２９Ｅ】本発明の一実施形態による第第１０タイプのミニスクリーンを示した図面である。
【図３０Ａ】本発明の一実施形態による第１１タイプのミニスクリーンを示した図面である。
【図３０Ｂ】本発明の一実施形態による第１２タイプのミニスクリーンを示した図面である。
【図３１】本発明の一実施形態による第１３タイプのミニスクリーンを示した図面である。
【図３２】本発明の一実施形態によるミニスクリーン表示の制御方法を説明するための図面である。
【図３３】本発明の一実施形態による携帯端末における前面カバー部のキーパッドを通じてテキスト入力による操作を示した図面である．
【図３４】本発明の一実施形態による携帯端末における前面カバー部のキーパッドを通じてテキスト入力による操作を示した図面である。
【図３５】本発明の一実施形態による携帯端末における前面カバー部のキーパッドを通じて異なるタイプのテキスト入力による操作を示した図面である。
【図３６】本発明の一実施形態による、携帯端末の前面カバー部が閉じられた状態で、ミニスクリーン又は前面カバー部のキーパッドを通じた入力を受けると同時に、通話機能を行う操作を示した図面である。
【図３７】本発明の一実施形態による、携帯端末の前面カバー部が閉じられた状態で、ミニスクリーン又は前面カバー部のキーパッドを通じた入力を受けると同時に、メッセージ機能を行う操作を示した図面である。
【図３８Ａ】本発明の一実施形態による、携帯端末の前面カバー部が閉じられた状態で、ミニスクリーン上のアプリケーションの選択により多様なアプリケーション機能を行う操作を示した図面である。
【図３８Ｂ】本発明の一実施形態による、携帯端末の前面カバー部が閉じられた状態で、ミニスクリーン上のアプリケーションの選択により多様なアプリケーション機能を行う操作を示した図面である。
【図３８Ｃ】本発明の一実施形態による、携帯端末の前面カバー部が閉じられた状態で、ミニスクリーン上のアプリケーションの選択により多様なアプリケーション機能を行う操作を示した図面である。
【図３８Ｄ】本発明の一実施形態による、携帯端末の前面カバー部が閉じられた状態で、ミニスクリーン上のアプリケーションの選択により多様なアプリケーション機能を行う操作を示した図面である。
【図３８Ｅ】本発明の一実施形態による、携帯端末の前面カバー部が閉じられた状態で、ミニスクリーン上のアプリケーションの選択により多様なアプリケーション機能を行う操作を示した図面である。
【図３８Ｆ】本発明の一実施形態による、携帯端末の前面カバー部が閉じられた状態で、ミニスクリーン上のアプリケーションの選択により多様なアプリケーション機能を行う操作を示した図面である。
【図３８Ｇ】本発明の一実施形態による、携帯端末の前面カバー部が閉じられた状態で、ミニスクリーン上のアプリケーションの選択により多様なアプリケーション機能を行う操作を示した図面である。
【図３９Ａ】本発明の一実施形態によるテキスト入力を必要とするアプリケーションを示した図面である。
【図３９Ｂ】本発明の一実施形態によるテキスト入力を必要とするアプリケーションを示した図面である。
【図４０】本発明の一実施形態による携帯端末の前面カバー部が閉じられた状態で表示されたカバー開放への要請メッセージを示した図面である。
【発明を実施するための形態】
【００１３】
以下、添付の図面を参照して、本発明の実施形態を詳細に説明する。図面の全般に渡って、類似の構成要素については同様の参照番号を付ける。
【００１４】
当技術分野における公知の構成又は処理についての詳細な説明は、本発明の要旨を不明瞭にすることを避けるために省略する。
【００１５】
後述の説明に用いられた用語及び単語は、書誌の意味に限定されず、専ら本発明の明確で、かつ一貫性のある理解のために用いられる。したがって、本発明の実施形態により後述する説明は、本発明を制限する目的ではなく、単に例示的な目的のために提供されることは、当業者には明らかである。
【００１６】
明細書において明確に言及しない限り、「a」、「an」、及び、「the」の単数形態は、複数の対象を含む。例えば、「a component surface」への言及は、そのようなsurfaceの一つ又はそれ以上への言及を含む。
【００１７】
用語「実質的に（substantially）」とは、挙げられた特徴、パラメータ、又は値が、必ずしも正確に成し遂げられる必要はないが、例えば、許容誤差、測定エラー、測定精密限界及び当業者に知られた他の要因を含めて、偏差又は変動が、特性を提供するための意図された効果を排除しない程度に起こり得ることを意味する。
【００１８】
本発明の様々な実施形態による携帯端末は、カバーが覆われ得るディスプレイ、例えば、タッチスクリーンが装着された電子機器として、画像電話機、携帯電話、スマートフォン、ＩＭＴ−２０００（International Mobile Telecommunication 2000）端末器、ＷＣＤＭＡ（登録商標）端末器、ＵＭＴＳ（Universal Mobile Telecommunication Service）端末器、ＰＤＡ（Personal Digital Assistant）、ＰＭＰ（Portable Multimedia Player）、ＤＭＢ（Digital Multimedia Broadcasting）端末器、ｅ−ブック（e-Book）、ラップトップパソナールコンピューター（ＰＣ）、タブレットＰＣ、デジタルカメラなどが挙げられる。
【００１９】
図１Ａ及び１Ｂは、本発明の一実施形態による、カバーが係合された携帯端末の外観斜視図である。図２Ａは、本発明の一実施形態による携帯端末のカバーを示す概略図である。図２Ｂは、本発明の一実施形態による携帯端末のカバーの背面を示す概略図である。
【００２０】
図１Ａ、１Ｂ、２Ａ及び２Ｂを参照すると、携帯端末１００は、カバー２００と係合できる。携帯端末１００の前面には、多様な機能の画面を表示するディスプレイ装置、例えば、タッチスクリーン１４０が、携帯端末１００の前面上に設けられる。携帯端末１００の前面上のタッチスクリーン１４０の周辺の少なくとも一部を取り囲んでベゼル１０２が形成される。ベゼル１０２内には，ホームボタン１０５、スピーカー、カメラ、センサーなどが形成されてもよい。携帯端末１００の背面には、携帯端末１００に電源を供給するバッテリー１７０が装着される。バッテリー１７０は、携帯端末１００の背面上に、着脱可能に設けられてもよく、又は携帯端末１００内に組み込まれて、ユーザが携帯端末１００から取り外せない形態で設けられてもよい。携帯端末１００の背面上には、背面カバー部２２０が備えられる。背面カバー部２２０の内に、携帯端末１００の背面上には、電気的に接続可能な接続端子１８０が備えられる。背面カバー部２２０は、バッテリー１７０を覆いながら、携帯端末１００の背面に係合できる。カバー２００は、携帯端末１００の前面の少なくとも一部を覆うように構成される。カバー２００が、携帯端末１００の前面を覆う場合、前面カバー部２１０は、タッチスクリーン１４０の少なくとも一部を覆う。また、カバー２００が、携帯端末１００の前面を覆う場合、前面カバー部２１０は、ベゼル１０２の少なくとも一部を覆う。そして、前面カバー部２１０が、タッチスクリーン１４０の少なくとも一部を覆う際に、タッチスクリーン１４０の残りの領域は、前面カバー部２１０に形成されたウィンドウ領域２０１ａを通じて外部に露出される。携帯端末１００は、前面カバー部２１０のウィンドウ領域２０１ａを通じて露出されたタッチスクリーン１４０の一部の領域上に、例えば、時計、文字、数字、発信番号又はユーザ環境設定などの内容の表示が制御できる。
【００２１】
カバー２００の前面カバー部２１０は、フリップ（flip）されて開閉できる。カバー２００の前面カバー部２１０が開かれる際、図１Ａに示したように、携帯端末１００のタッチスクリーン１４０の全体領域が外部に露出される。一方、カバー２００の前面カバー部２１０が閉じられる際、図１Ｂに示したように、携帯端末１００のタッチスクリーン１４０の少なくとも一部が、前面カバー部２１０により覆われる。図１Ｂを参照すると、カバー２００の前面カバー部２１０が閉じられる際、ウィンドウ領域２０１ａに対応するタッチスクリーン１４０の少なくとも一部の領域が外部に露出され、一方、タッチスクリーン１４０の残りの領域は覆われる。
【００２２】
また、カバー２００の前面カバー部２１０が閉じられる際、携帯端末１００のベゼル１０２に形成された部品（例えば、スピーカー）が、前面カバー部２１０に形成された開口２０１ｂを通じて外部に露出される。図１Ｂには、一つの開口２０１ｂのみが形成された例が示されているが、前面カバー部２１０上に複数の開口が形成されることにより、前面カバー部２１０が閉じられても、ベゼル１０２に形成された複数の部品（例えば、スピーカー、カメラなど）が、複数の開口を通じて外部に露出できる。
【００２３】
図２Ａ及び図２Ｂを参照すると、カバー２００は、前面カバー部２１０と、背面カバー部２２０とを含む。カバー２００は、さらに前面カバー部２１０と背面カバー部２２０との間に位置し、前面カバー部２１０と背面カバー部２２０とを連結する連結部２０３を含む。連結部２０３は、携帯端末１００の側面の一部を覆うことができる。
【００２４】
前面カバー部２１０は、携帯端末１００の前面を覆い、タッチスクリーン１４０の一部を露出するように、投影部、又はウィンドウ領域２０１ａを含む。ウィンドウ領域２０１ａは、カバー２００が携帯端末１００の前面を覆う際、ユーザが、ウィンドウ領域２０１ａを通じて、タッチスクリーン１４０上に表示された情報が見られるように、透明又は半透明の物質から形成されても、前面カバー部２１０の開口を形成してもよい。これにより、ユーザは、前面カバー部２１０の外側から、ウィンドウ領域２０１ａを通じて、前面カバー部２１０の内側のタッチスクリーン１４０上に表示された情報が視認できる（view）。従って、前面カバー部２１０が閉じられても、ユーザは、ウィンドウ領域２０１ａを通じて、タッチスクリーン１４０上に表示された簡単な情報を確認することができ、前記表示された情報と関連の機能を実行するように、前面カバー部２１０を通じてユーザコマンドにエンターできる。タッチスクリーン１４０上に表示された簡略の情報を確認することができ、前記表示された情報と関連の機能が、携帯端末１００により実行できるように、前記前面カバー部２１０を通じてユーザコマンドがエンターできる。背面カバー部２２０は、例として、図２Ｂに示されたバッテリーカバー２２０ａとして形成される。図２Ｂを参照すると、背面カバー部２２０は、携帯端末１００の背面を覆う。背面カバー部２２０は、携帯端末１００の背面上に、固定的に又は着脱可能に取り付けられてもよい。前面カバー部２１０は、背面カバー部２２０の一側面に連結できる。背面カバー部２２０と前面カバー部２１０との間には，連結部２０３が形成できる。この場合、背面カバー部２２０の一側面に連結された一側面と、前面カバー部２１０の一側面に連結された他の側面とを有することができる。背面カバー部２２０と前面カバー部２１０とは、連結部２０３を中心にベンディング（bending）できる。背面カバー部２２０は、携帯端末１００の背面に係合される。前面カバー部２１０のフリップが閉じられた場合、背面カバー部２２０は、携帯端末１００の一側面の少なくとも一部を取り囲む。これにより、携帯端末１００は、カバー２００から離脱されないことができる。追加に、背面カバー部２２０には、コネクター部２０２ａが形成される。コネクター部２０２ａは、カバー２００に関するカバータイプ情報を提供する。前記カバータイプ情報は、カバー２００の前面カバー部２１０に形成されたウィンドウ領域及び入力領域の位置に関する情報を含める。コネクター部２０２ａは、携帯端末１００の背面上に形成される接続端子１８０に電気的に連結されることにより、カバー２００に関するカバータイプ情報を、携帯端末１００に提供できる。例えば、携帯端末１００の背面には、複数の接続端子１８１、１８２が形成できる。カバー２００のコネクター部２０２ａは、接続端子１８１、１８２のうちの少なくとも一つと噛み合って、電気的に接続できる。携帯端末１００は、接続端子１８１、１８２のうちのいずれか一つ又は両方に、カバー２００のコネクター部２０２ａが連結されるかによって、カバー２００のタイプが識別できる。他の例において、接続端子のいずれかに、カバー２００のコネクター部２���２ａが連結されても、携帯端末１００は、カバー２００のタイプが識別できる。
【００２５】
図３は、本発明の他の実施形態による携帯端末及びカバーを概略的に示す図面である。
【００２６】
図３において、背面カバー部２２０は、背面ケース２２０ｂとして形成される。図３を参照すると、カバー２００は、前面カバー部２１０、連結部２０３、及び背面ケース２２０ｂを含む。携帯端末１００は、背面ケース２２０ｂ内に固定的に挿入できる。携帯端末１００は、その背面にバッテリーカバー２２０ａが係合された状態で、背面ケース２２０ｂ内に挿入できる。
【００２７】
背面ケース２２０ｂは、底面部２２１と、該底面部２２１の周辺に沿って形成された少なくとも一つの側壁部２２２と、掛り部２２３とを含む。側壁部２２２は、底面部２２１と実質的に垂直方向に形成される。側壁部２２２の底（bottom）は、底面部２２１に連結され、側壁部２２２の上端には、掛り部２２３が設けられる。底面部２２１と側壁部２２２により画成された内部空間は、携帯端末１００のサイズ及び形状に相当するサイズと形状を有する。携帯端末１００が前記内部空間に受容されると、掛り部２２３は、前記内部空間から携帯端末１００の滑り落ちが防止できる。前面カバー部２１０が背面ケース２２０ｂの一側面に連結される。背面ケース２２０ｂと前面カバー部２１０との間には、連結部２０３が形成できる。この場合、連結部２０３は、その一側面が背面ケース２２０ｂの一側面に連結され、他の側面が前面カバー部２１０の一側面に連結される。背面ケース２２０ｂと前面カバー部２１０とは、連結部２０３を中心にベンディング（bending）できる。
【００２８】
ウィンドウ領域２０１ａ及び入力領域２０１ｂが、カバー２００の前面カバー部２１０上の予め定められた位置に形成される場合、カバー２００が閉じられる際、携帯端末１００は、カバー２００に関するカバータイプ情報を知らなくても、ウィンドウ領域２０１ａを通じて情報を表示し、入力領域２０１ｂを通じて、ユーザ入力が受けられる。
【００２９】
本発明の一実施形態において、カバー２００の内には、近距離通信を介して携帯端末１００に、カバー２００に関するカバータイプ情報を提供するカバータイプ情報送信部２２４がさらに形成されてもよい。カバータイプ情報送信部２２４は、例えば、ＮＦＣ（Near Field Communication）、ＲＦＩＤ（Radio Frequency Identification）、ブルートゥース（登録商標）(Bluetooth(登録商標))、ワイファイダイレクトなどの近距離通信方式により、カバー２００に関するカバータイプ情報を、携帯端末１００に送信できる。そうすると、携帯端末１００は、カバー２００から近距離通信方式により受信されたカバータイプ情報に基づいて、カバー２００のタイプが識別できる。
【００３０】
図３を参照して、カバー２００の背面カバー部２２０がケースとして構成される例を説明したが、前面カバー部２１０が、携帯端末１００に着脱可能に装着され、フリップ操作により開閉される限り、背面カバー部２２０及び連結部２０３の形状は変更可能である。
【００３１】
図４Ａ及び４Ｂは、本発明の実施形態による、前面カバー部の構造を示す概略図である。図４Ａは、前面カバー部２１０において透明又は半透明の物質から形成されたウィンドウ領域２０１ａを示し、図４Ｂは、前面カバー部２１０においてカットアウト形態の開口として形成されたウィンドウ領域２０１ａを示す。
【００３２】
図４Ａを参照すると、前面カバー部２１０は、外側部材２１１ａと、内側部材２１２ａと、透明部材２１３ａとを含む。外側部材２１１ａは、前面カバー部２１０の外側面を形成し、所定の弾性を有する硬質材料、例えば、ポリウレタンのような材質から形成できる。外側部材２１１ａは、携帯端末１００の前面の少なくとも一部を覆うことのできる形状で形成できる。外側部材２１１ａ上には、ウィンドウ領域２０１ａを画成するように、外側ホール２１１１が形成される。内側部材２１２ａは、前面カバー部２１０の内側面を形成し、透明部材２１３ａの底面に係合され、内側部材２１２ａの底面は、タッチスクリーン１４０と直接接触する。内側部材２１２ａがタッチスクリーン１４０に接触される際、タッチスクリーン１４０の表面にスクラッチなどの破損を防ぐように、内側部材２１２ａの内側は、柔らかい材料、例えば、シャムド（Chamude）から形成できる。内側ホール２１２１は、ウィンドウ領域２０１ａを画成するように、外側ホール２１１１に対応する内側部材２１２ａの位置に形成される。透明部材２１３ａは、外側部材２１１ａと内側部材２１２ａとの間に提供され、外側ホール２１１１と内側ホール２１２１とを密着させる。タッチスクリーン１４０の所定の位置、例えば、タッチスクリーン１４０の上部に画成された第１領域は、透明部材２１３ａ、外側ホール２１１１及び内側ホール２１２１を通じて外部に露出できる。即ち、タッチスクリーン１４０の第１領域が、前面カバー部２１０ａにより覆われても、ユーザが、ウィンドウ領域２０１ａを通じて、タッチスクリーン１４０の第１領域に表示された情報が視認できるように、透明部材２１３ａは、透明又は半透明の物質を含む材料から形成できる。例えば、透明部材２１３ａは、透明又は半透明のフィルムから形成されてもよい。透明部材２１３ａは、ウィンドウ領域２０１ａのサイズより大きく形成される。図４Ａにおいて、透明部材２１３ａは、外側部材２１１ａ及び内側部材２１２ａのサイズに対応するように形成される。透明部材２１３ａは、導電性物質、例えば、導電性シリコンを含む材料から形成できる。さらに、外側部材２１１ａ、内側部材２１２ａ及び透明部材２１３ａは、それぞれ静電気防止物質、銀、及びナイロン繊維のうちの少なくとも一つを含む材料から形成できる。これにより、ユーザからウィンドウ領域２０１ａに、タッチ入力が受信される場合、ウィンドウ領域２０１ａに該当するタッチスクリーン１４０の第１領域において、タッチ入力が感知できる。例えば、着信があると、ウィンドウ領域２０１ａに該当するタッチスクリーン１４０の位置に、着信報知が表示される。ユーザが、ウィンドウ領域２０１ａをタッチするか、予め定められたキー、例えば、サイドキーを操作すれば、直ちに通話が繋がれ得る。
【００３３】
図４Ｂを参照すると、前面カバー部２１０は、ウィンドウ領域２０１ａを画成し、タッチスクリーン１４０を覆って保護できる外側部材２１１ａと、内側部材２１２ａとを含む。前面カバー部２１０の外側面を形成する、外側部材２１１ａは、所定の弾性を有する軽質材料、例えば、ポリウレタンから形成できる。外側部材２１１ａは、携帯端末１００の前面の少なくとも一部をカバーできる形状で形成できる。外側部材２１１ａ上にウィンドウ領域２０１ａを画成するように外側ホール２１１１が形成される。前面カバー部２１０の内側面を形成する、内側部材２１２ａは、外側部材２１１ａの底面に係合され、内側部材２１２ａの底面が、タッチスクリーン１４０と直接接触する。内側部材２１２ａが、タッチスクリーン１４０に接触される際、タッチスクリーン１４０の表面にスクラッチなどの破損を防ぐように、内側部材２１２ａの内側は、柔らかい材質、例えば、シャムド材質から形成できる。ウィンドウ領域２０１ａを画成するように、外側ホール２１１１に対応する内側部材２１２ａの位置に、内側ホール２１２１が形成できる。外側ホール２１１１と内側ホール２１２１とは、同一サイズで形成される。外側ホール２１１１と内側ホール２１２１により形成される開口は、ウィンドウ領域２０１ａを形成することができる。これにより、タッチスクリーン１４０の第１領域が、前面カバー部２１０により覆われても、ユーザが、ウィンドウ領域２０１ａの開口を通じて、タッチスクリーン１４０上に表示された情報が視認できる。また、ユーザが、ウィンドウ領域２０１ａを通じて、タッチスクリーン１４０にタッチ入力を適用できる。そうすると、携帯端末１００は、ウィンドウ領域２０１ａに対応するタッチスクリーン１４０の第１領域でタッチ入力を感知することができる。
【００３４】
本発明の一実施形態において、ウィンドウ領域２０１ａを除いた、前面カバー部２１０の残りの領域は、非ウィンドウ領域である。非ウィンドウ領域の少なくとも一部は、ユーザ入力が適用できる入力領域（以下、「カバー入力領域」と言う）として定義される。例えば、全ての非ウィンドウ領域は、カバー入力領域であってもよい。又は、非ウィンドウ領域の予め定められた一部の領域は、カバー入力領域であってもよい。前記カバー入力領域とは、前面カバー部２１０が、タッチスクリーン１４０を覆っている状態で、外側部材２１１ａの外側面上のタッチ入力が、タッチスクリーン１４０により検出され得る領域を言える。したがって、非ウィンドウ領域の少なくとも一部に該当するカバー入力領域で行われるユーザジェスチャーが、タッチスクリーン１４０により感知できる。
【００３５】
例えば、ユーザが、前面カバー部２１０のカバー入力領域に、ユーザジェスチャーを入力する場合、前記ユーザジェスチャーは、カバー入力領域に対応するタッチスクリーン１４０の第２領域で感知できる。本発明の様々な実施形態において、前面カバー部２１０のウィンドウ領域２０１ａは、前面カバー部２１０の第１カバー領域で形成でき、非ウィンドウ領域は、前面カバー部２１０における前記第１カバー領域以外の第２カバー領域に形成できる。
【００３６】
図５Ａ、５Ｂ、５Ｃ及び５Ｄは、本発明の実施形態による多様なタイプのカバーを示した図面である。
【００３７】
図５Ａを参照すると、本発明の一実施形態により、第１タイプのカバーは、前面カバー部２１０の上側の一部に、ウィンドウ領域５１１が画成され、ウィンドウ領域５１１を除き、前面カバー部２１０の残りの領域が、非ウィンドウ領域５２１として画成される。第１タイプのカバーにおいて、全体の非ウィンドウ領域５２１が、カバー入力領域であってもよい。
【００３８】
図５Ｂを参照すると、本発明の一実施形態により、第２タイプのカバーは、前面カバー部２１０の上側の一部にウィンドウ領域５１２が画成され、ウィンドウ領域５１２を除き、前面カバー部２１０の残りの領域が、非ウィンドウ領域５２１として画成される。第２タイプのカバーにおいて、非ウィンドウ領域５２１のうちのウィンドウ領域５１２の下部の一定のサイズの領域が、カバー入力領域５２２として画成できる。図５Ｂにおいて、カバー入力領域５２２は、水平方向に沿ってウィンドウ領域５１２の幅と実質的に同一の幅であり、カバー入力領域５２２の上端は、ウィンドウ領域５１２に隣接した位置まで延長され、その下段は、前面カバー部２１０の下段に隣接した位置まで延長できる。これにより、例えば、カバー入力領域５２２は、ウィンドウ領域５１２の下部の非ウィンドウ領域５２１の大部分を占めることができる。
【００３９】
図５Ｃを参照すると、本発明の第３タイプのカバーは、前面カバー部２１０の上側の一部に、ウィンドウ領域５１３が画成され、ウィンドウ領域５１３を除き、前面カバー部２１０の残りの領域が、非ウィンドウ領域５２１として画成される。第３タイプのカバーにおいて、ウィンドウ領域５１３の下部、非ウィンドウ領域５２１の中央に小さい領域が、カバー入力領域５２２として画成できる。一例として、第３タイプのカバーのカバー入力領域５２３は、第２タイプのカバーのカバー入力領域５２２より小さく形成される。
【００４０】
図５Ｄを参照すると、本発明の一実施形態による第４タイプのカバーは、前面カバー部２１０の右側に、前面カバー部２１０の長手方向に沿ってウィンドウ領域５１４が伸ばされ、ウィンドウ領域５１４を除き、前面カバー部２１０の残りの領域が、非ウィンドウ領域５２１として画成される。カバー入力領域５２４が、ウィンドウ領域５１４の左側に、非ウィンドウ領域５２１の一部の領域に画成される。
【００４１】
図５Ａ、５Ｂ、５Ｃ及び５Ｄにおいては、例として、単一のウィンドウ領域５１１、５１２、５１３、５１４が、前面カバー部２１０内に形成されるが、ウィンドウ領域の位置や個数は変更されてもよい。例えば、ウィンドウ領域５１１、５１２、５１３、５１４は、前面カバー部２１０の中央領域に提供されてもよく、水平方向に沿って伸ばされてもよい。したがって、ウィンドウ領域５１１、５１２、５１３、５１４の位置は、変更可能である。本発明の実施形態においては、前面カバー部２１０内に一つのウィンドウ領域が画成されることを記述したが、本発明の様々な実施形態により、前面カバー部２１０内に複数のウィンドウ領域が画成されてもよい。さらに、非ウィンドウ領域５２１の少なくとも一部が、カバー入力領域として利用できる。例えば、非ウィンドウ領域５２１の全体が、カバー入力領域であってもよく、非ウィンドウ領域のうちの一部領域が、カバー入力領域であってもよい。前記カバー入力領域に、ユーザジェスチャー（例えば、タッチ入力）が入力される場合、前記カバー入力領域に対応するタッチスクリーン１４０の第２領域で、前記ユーザジェスチャーが検出できる。
【００４２】
前述のような多様なタイプのカバーによって、携帯端末１００は、前面カバー部２１０のウィンドウ領域とカバー入力領域とを区別できる。これにより、携帯端末１００は、前面カバー部２１０のウィンドウ領域及びカバー入力領域にそれぞれ対応して、タッチスクリーン１４０上の第１領域と第２領域を画成できる。
【００４３】
本発明の様々な実施形態において、携帯端末１００の前面カバー部２１０は、携帯端末１００の前面上のタッチスクリーン１４０を覆うことができ、携帯端末１００は、タッチスクリーン１４０が、前面カバー部２１０により覆われたか否かが判断できる。
【００４４】
図６は、本発明の一実施形態による、携帯端末がカバーにより覆われるか否かを判断する操作を説明するための図面である。
【００４５】
図６を参照すると、カバー２００は、前面カバー部２１０の内側に、カバー２００のタイプに関するカバータイプ情報を提供する磁力印加部６９１を備える。
【００４６】
磁力印加部６９１は、例えば、永久磁石であっても良く、磁力を与えられる。この際、磁力印加部６９１は、カバータイプ情報に対応する磁力を生じ得る。
【００４７】
例えば、前面カバー部２１０が、携帯端末１００の前面を覆うと、少なくとも一つの磁力感知センサー６９２が、磁力印加部６９１より与えられた磁力が感知でき、携帯端末１００は、センサー部１６０の磁力感知センサー６９２の感知結果に基づいて、前面カバー部２１０が携帯端末１００の前面部を覆った状態であるかを判断することができる。また、前面カバー部２１０が、携帯端末１００の前面を覆う場合、少なくとも一つの磁力感知センサー６９２を含むセンサー部１６０が、カバータイプ情報に対応する磁力印加部６９１より与えられた磁力が感知でき、携帯端末１００は、センサー部１６０の磁力感知センサー６９２の感知結果に基づいて、カバー２００に関するカバータイプ情報が決定できる。
【００４８】
本発明の一実施形態において、携帯端末１００のタッチスクリーン１４０は、画面表示及びタッチセンシングが独立的に可能である。携帯端末１００は、前面カバー部２１０が、タッチスクリーン１４０を覆った状態であるかの可否に応じて、タッチスクリーン１４０の画面を全体的に活性化するか、第１領域及び第２領域により部分的に活性化できる。又は、携帯端末１００は、前面カバー部２１０が、タッチスクリーン１４０を覆った状態であるかの可否に応じて、タッチスクリーン１４のタッチセンシング領域を全体的に活性化するか、第１領域及び第２領域により部分的に活性化できる。
【００４９】
例えば、前面カバー部２１０が、タッチスクリーン１４０を覆っていない状態であれば、携帯端末１００は、タッチスクリーン１４０の全表示画面を活性化でき、タッチスクリーンの全タッチセンシング領域を活性化できる。
【００５０】
一方では、前面カバー部２１０が、タッチスクリーン１４０を覆った状態であると、携帯端末１００は、タッチスクリーン１４０の表示画面上で、第１領域については、情報表示及びタッチセンシングが活性化でき、第２領域については、タッチセンシングのみが活性化できる。この場合、タッチスクリーン１４０の表示画面において、前記第１領域及び第２領域を除いた残りの領域は、非活性化できる。
【００５１】
携帯端末１００は、カバー２００のカバータイプ情報提供部７１０からカバータイプ情報が受信できる。カバータイプ情報提供部７１０は、コネクター部２０２ａ、カバータイプ情報送信部２２４、及び磁力印加部６９１のうちの一つであってもよい。
【００５２】
図７は、本発明の一実施形態による携帯端末１００のブロック図である。
【００５３】
図７を参照すると、携帯端末１００は、制御部１１０、通信部１２０、メモリ部１３０、タッチスクリーン１４０、及び入出力部１５０を含む。
【００５４】
制御部１１０は、ＣＰＵ（Central Processor Unit）１１１を含む。制御部１１０は、ＤＳＰ（Digital Signal Processor）を含むことができ、プロセッサとも言える。携帯端末１００の制御のための制御プログラムを格納するＲＯＭ（Read Only Memory）１１２、及び携帯端末１００の外部から受信した信号又はデータを記憶するか、携帯端末１００により行われた操作のための記憶領域として使われるＲＡＭ（Random Access Memory）１１３を含む。ＣＰＵ１１１は、一つ以上のコアを含んでもよい。ＣＰＵ１１１、ＲＯＭ１１２、及びＲＡＭ１１３は、内部バス（bus）により相互連結できる。制御部１１０は、通信部１２０、メモリ部１３０、タッチスクリーン１４０、及び入出力部１５０が制御できる。例えば、制御部１１０は、携帯端末１００に対する全般的な制御機能を行い、前記構成要素間の信号の流れが制御できる。
【００５５】
制御部１１０は、カバー２００のタイプにより、カバー２００の前面カバー部２１０におけるウィンドウ領域とカバー入力領域とが識別できる。これにより、制御部１１０は、前面カバー部２１０のウィンドウ領域及びカバー入力領域に各々対応して、タッチスクリーン１４０上の第１領域及び第２領域が画成できる。
【００５６】
前面カバー部２１０が閉じられ、これにより、タッチスクリーン１４０を覆うと、制御部１１０は、タッチスクリーン１４０の第１領域及び第２領域を活性化でき、タッチスクリーン１４０の残りの領域が非活性化できる。これにより、制御部１１０は、前面カバー部２１０を通じてタッチスクリーン１４０の第１領域及び第２領域に入力されるユーザジェスチャーが検出できる。
【００５７】
制御部１１０は、タッチスクリーン１４０の異なる領域に、異なるタッチ入力認識感度（sensitivity）の設定が制御できる。例えば、制御部１１０は、タッチスクリーン１４０の第１領域のタッチ入力認識感度よりタッチスクリーン１４０の第２領域のタッチ入力認識感度を大きく設定できる。例えば、前面カバー部２１０が閉じられている場合、制御部１１０は、タッチスクリーン１４０の第１領域のタッチ入力認識感度より第２領域のタッチ入力認識感度を大きく設定できる。タッチスクリーン１４０の前記第１領域及び第２領域のタッチ入力認識感度は、前面カバー部２１０がタッチスクリーン１４０を覆っていても、タッチスクリーン１４０が、前面カバー部２１０上に入力されるユーザジェスチャーを検出するように十分に大きく設定できる。
【００５８】
さらに、制御部１１０は、前面カバー部２１０が、タッチスクリーン１４０を覆うか否かの可否に応じて、前記タッチスクリーンの第１領域と第２領域でタッチ入力を感知するためのタッチ入力認識感度を異なるように制御できる。例えば、カバー２００が、タッチスクリーン１４０を覆わない場合、制御部１１０は、全体のタッチスクリーン１４０に渡って、タッチ入力認識感度を同一に設定するように制御できる。一方では、前面カバー部２１０が、タッチスクリーン１４０を覆う場合、制御部１１０は、第１領域のタッチ入力認識感度より第２領域のタッチ入力認識感度を高く設定するように制御できる。これにより、前記ウィンドウ領域が、非ウィンドウ領域より厚い場合、又は前記ウィンドウ領域が開いており、その反面、非ウィンドウ領域は、閉じられている場合でも、第２領域へのタッチ入力は、正常に感知できる。制御部１１０は、センサー部１６０、接続端子１８０又はカバータイプ情報受信部１９０を通じて、カバータイプ情報を受信することにより、カバーのタイプが確認でき、前面カバー部２１０が、タッチスクリーン１４０のディスプレイ画面を覆うか否かを決定することができる。制御部１１０は、カバーのタイプにより、タッチスクリーン１４０上に、例えば、前面カバー部２１０のウィンドウ領域に該当する第１領域と、前面カバー部２１０のカバー入力領域に該当する第２領域とを含む領域が画成できる。例えば、前面カバー部２１０のカバー２００が、タッチスクリーン１４０のディスプレイ画面を覆う状態で、制御部１１０は、イベントが発生したか否かが判断できる。イベントが発生すると、制御部１１０は、タッチスクリーン１４０上に、カバー２００、例えば、前面カバー部２１０のウィンドウ領域に該当する第１領域と、カバー、例えば、前面カバー部２１０のカバー入力領域に該当する第２領域とを含む領域が画成できる。この際、イベントは、予め定められたボタン入力イベント、受信イベント、知らせイベントのうちの少なくとも一つを含んでもよい。前記受信イベントは、例えば、着信イベント及びメッセージ受信イベントを含んでもよい。前記知らせイベントは、例えば、時間アラームイベント、スケジュールアラームイベントなどを含んでもよい。以外にも、多くの他のイベントであってもよい。前記イベントは、ディスプレイ画面上に、第１領域及び第２領域を含む領域の画成を引き起こす限り、いずれのイベントであってもよい。
【００５９】
通信部１２０は、携帯端末１００を、一つ以上のアンテナを介して、外部装置と連結でき、外部装置と通信できる。前記外部装置は、他の装置、携帯電話、スマートフォン、タブレットＰＣ、及びサーバを含んでもよい。通信部１２０は、例えば、移動通信モジュール、ＮＦＣモジュール、ブルートゥース（登録商標）モジュールなどの多様な通信モジュールを含んでもよく、移動通信、ＮＦＣ、ブルートゥース（登録商標）などのような多様な通信機構により外部装置と通信できる。
【００６０】
例えば、携帯端末１００は、携帯端末１００に入力された電話番号を有する携帯電話、スマートフォン、タブレットＰＣ又は他の装置から、移動通信モジュールを通じて、音声通話、画像通話、ショットメッセージサービス（ＳＭＳ）又はマルチメディアメッセージングサービス（ＭＭＳ）のための無線信号が送／受信できる。また、携帯端末１００は、ＮＦＣモジュール又はブルートゥース（登録商標）モジュールを通じて、外部装置から情報が受信できる。本発明の様々な実施形態において、通信部１２０は、ＮＦＣモジュール及びブルートゥース（登録商標）モジュールの他に、無線ラン（ＷＬＡＮ）モジュールと他の近距離通信モジュールのうちの少なくとも一つを含むことができ、無線ランモジュールと近距離通信モジュールのうちの少なくとも一つを通じて情報を受信することもできる。無線ランモジュールは、無線ＡＰ（access point）が設置される場所で、制御部１１０の制御の下に、インターネットに接続できる。無線ランモジュールは、アメリカ電気電子学会（ＩＥＥＥ）の無線ラン規格（ＩＥＥＥ８０２．１１ｘ）をサポートすることができる。前記近距離通信モジュールは、制御部１１０の制御の下に、携帯端末１００と外部装置との間に、無線で近距離通信を行うことができる。前記近距離通信は、赤外線通信（IrDA, Infrared Data Association）などに準じて行うことができる。
【００６１】
メモリ部１３０は、制御部１１０の制御の下で、制御部１１０、通信部１２０、タッチスクリーン１４０、及び入出力部１５０の動作により、入／出力される信号又はデータを格納することができる。メモリ部１３０は、携帯端末１００又は制御部１１０の制御のための複数のプログラムと、複数のアプリケーションと、多様な機能を実行するためのプログラマ及びデータとが格納できる。メモリ部という用語は、制御部１１０内のＲＯＭ１１２及びＲＡＭ１１３、又は携帯端末１００に装着されるメモリカード（例えば、ＳＤカード、メモリスティックなど）を含むことができる。メモリ部１３０は、非揮発性メモリ、揮発性メモリ、ハードディスクドライブ（ＨＤＤ）、ソリッドステートドライブ（ＳＳＤ）などを含んでもよい。
【００６２】
メモリ部１３０は、機械読取り可能媒体（例えば、コンピュータ読取り可能媒体）であリ得る。前記機械読取り可能媒体とは、機械が特定の機能を実行できるように、前記機械にデータを提供する媒体と定義することができる。機械読取リ可能媒体は、格納媒体であってもよい。メモリ部１３０は、非揮発性媒体及び揮発性媒体を含んでもよい。これらの媒体は、機械に伝達されるコマンドを読み取る物理的機構に着脱可能なコマンドを提供するタイプでなければならない。前記機械読取り可能媒体は、フロッピディスク（登録商標）、フレキシブルディスク、ハードディスク、磁気テープ、ＣＤ−ＲＯＭ（compact disc read-only memory）、光学ディスク、パンチカード（punch card）、ペーパーテープ（paper tape）、ＲＡＭ、ＰＲＯＭ（Programmable ＲＯＭ）、ＥＰＲＯＭ（Erasable ＰＲＯＭ）及びフラッシュＥＰＲＯＭ（Flash-ＥＰＲＯＭ）のうちの少なくとも一つを含んでもよく、これらに限定されない。本発明の一実施形態において、メモリ部１３０は、カバータイプ情報が格納できる。
【００６３】
タッチスクリーン１４０は、多様なグラフィックユーザインターフェース（ＧＵＩ）を、ユーザに提供することができる。例えば、タッチスクリーン１４０は、ユーザの身体（例えば、指）又はタッチ入力ユニット１５８（例えば、ペン）を通じて少なくとも一つの近接又はタッチ入力を含む各種のジェスチャー入力が受信できる。タッチスクリーン１４０は、例えば、抵抗膜方式、静電容量方式、ＥＭＲ（ElectroMagnetic Resonance）方式、又はこれらの組合せとして実現できる。
【００６４】
本発明の一実施形態において、タッチスクリーン１４０は、制御部１１０の制御の下に、アプリケーション実行による画面、メッセージ画面、メッセージ作成画面、メッセージ受信画面などが表示できる。また、タッチスクリーン１４０は、全体ディスプレイ画面の予め定められた一部領域、例えば、ウィンドウ領域２０１ａに対応するタッチスクリーン１４０の第１領域に情報を表示し、その反面に、前記第１領域以外の領域には、情報を表示しない。
【００６５】
入出力部１５０は、ボタン１５２、マイクロフォン１５４、スピーカー１５６、及び入力ユニット１５８を含み、これに限定されない。例えば、マウス、トラックボール、ジョイスティック又はカーソル方向キーのようなカーソルコントロール（cursor control）が、制御部１１０との通信及びタッチスクリーン１４０上のカーソル移動の制御のために提供できる。
【００６６】
ボタン１５２は、形態端末１００に一つ以上提供でき、ユーザの押しによる各種の入力信号を前記制御部１１０に提供できる。
【００６７】
マイクロフォン１５４は、制御部１１０の制御の下で、各種の音源から音声（voice）又は音（sound）が受信でき、受信された音声又は音を、電気的信号に変換できる。
【００６８】
スピーカー１５６は、制御部１１０の制御の下で、アプリケーション実行と共に様々な信号（例えば、無線信号、放送信号、デジタルオーディオファイル、デジタルビデオファイルなど）に対応する音を、携帯端末１００の外部に出力できる。
【００６９】
入力ユニット１５８は、携帯端末１００の内部に挿入されて保持されるように構成されるか、別途に構成されたデバイス又は物体であってもよい。前者の場合に、入力ユニット１５８は、携帯端末１００から取り除くことができるか、挿入されることができる。入力ユニット１５８は、スタイラスペン（以下、「ペン」という）などのように、タッチスクリーン１４０に近接するか、タッチすることにより、ユーザジェスチャーが入力できる、入力手段又はユーザの指であってもよい。
【００７０】
携帯端末１００は、さらにセンサー部１６０を含んでもよい。センサー部１６０は、少なくとも一つの磁力感知センサー６９２を含んでもよい。センサー部１６０は、カバー２００の永久磁石６９１から与えられた磁力が感知できる。
【００７１】
携帯端末１００は、さらに接続端子１８０を含んでもよい。接続端子１８０は、カバー２００のコネクター部２０２ａと連結できる。接続端子１８０が、コネクター部２０２ａと連結されると、連結部２２０ａからカバー２００に関するカバータイプ情報が受信できる。
【００７２】
携帯端末１００は、カバータイプ情報受信部１９０をさらに含んでもよい。カバータイプ情報受信部１９０は、カバータイプ情報送信部２２４からカバータイプ情報が受信できる。カバータイプ情報受信部１９０が、近距離通信モジュールとして構成される場合、前面カバー部２１０が、携帯端末１００の前面を覆う際、カバータイプ情報受信部１９０は、カバータイプ情報送信部２２４からカバータイプ情報が受信でき、制御部１１０は、カバータイプ情報受信部１９０から受信されたカバータイプ情報に基づいて、前面カバー部２１０がタッチスクリーン１４０を覆っている状態であるか、覆っていない状態であるかが判断できる。
【００７３】
図８は、本発明の一実施形態による、携帯端末１００におけるカバー２００のウィンドウ領域とカバー入力領域に各々対応するタッチスクリーン１４０上の第１領域と第２領域とを用いたユーザインターフェース動作を示すフローチャートである。
【００７４】
図８を参照すると、携帯端末１００は、ステップ８１０において、カバー２００のカバータイプを確認する。例えば、携帯端末１００の制御部１１０は、カバー２００から与えられた磁力を感知することにより、又はカバー２００からカバー２００に関するカバータイプ情報を受信することにより、カバー２００のカバータイプ情報が確認できる。カバー２００に関するカバータイプ情報は、カバー２００上に画成されたウィンドウ領域及びカバー入力領域の位置に関する情報を含んでもよい。カバー２００に関するカバータイプ情報は、カバーＩＤを含んでもよく、制御部１１０は、前記カバーＩＤを用いて、カバー２００のウィンドウ領域及びカバー入力領域の位置が決定できる。この場合、多様なカバーＩＤ別にカバーのウィンドウ領域及びカバー入力領域の位置に関する情報が、メモリ部１３０に予め格納できる。前記カバータイプ情報は、さらにカバー２００のサイズ及び位置、及びカバー２００の非ウィンドウ領域のサイズ及び位置のうちの少なくとも一つに関する情報を含んでもよい。
【００７５】
ステップ８２０において、制御部１１０は、カバー２００に関するカバータイプ情報に基づいて、カバー２００のウィンドウ領域に対応する第１領域と、カバー２００のカバー入力領域に対応する第２領域とを含むタッチスクリーン１４０のタッチスクリーン領域を決定する。
【００７６】
次に、ステップ８３０において、カバー２００の前面カバー部２１０が閉じられた状態で、制御部１１０は、前記前面カバー部２１０を通じてタッチスクリーン１４０上に、ユーザジェスチャーが入力されたか否かるかを判断する。
【００７７】
前面カバー部２１０のカバー入力領域に対応するタッチスクリーン１４０の第２領域で、ユーザジェスチャーが検出される場合、制御部１１０は、ステップ８４０において、前記検出されたユーザジェスチャーに対応する動作を、携帯端末１００内で実行する。
【００７８】
前面カバー部２１０のウィンドウ領域に対応するタッチスクリーン１４０の第１領域で、ユーザジェスチャーが検出される場合、制御部１１０は、ステップ８５０において、前記検出されたユーザジェスチャーに対応する動作を、携帯端末１００内で実行する。
【００７９】
例えば、前面カバー部２１０が、携帯端末１００のタッチスクリーン１４０を覆った状態で、制御部１１０は、イベントが、携帯端末１００で発生したかが判断でき、前記イベントに対応する情報を、前面カバー部２１０のウィンドウ領域に対応するタッチスクリーン１４０の第１領域に表示できる。制御部１１０は、前面カバー部２１０のカバー入力領域に対応する、タッチスクリーン１４０の第２領域に入力されるユーザジェスチャーによる予め定められた動作を行う。前記イベントは、例えば、予め定められたボタン入力イベント、受信イベント、及び知らせイベントのうちの少なくとも一つを含んでもよい。前記受信イベントは、例えば、着信イベント及びメッセージ受信イベントを含んでもよい。前記知らせイベントは、例えば、時間アラームイベント、スケジュールアラームイベントなどを含んでもよい。これらのイベントは、単に例示に過ぎない。タッチスクリーン１４０の第１領域に情報を表示し、タッチスクリーン１４０の第２領域にユーザジェスチャーを受信するようなイベントが実現できることは、当該分野における通常の知識を有する者には自明である。
【００８０】
さらに、例えば、制御部１１０は、カバーに関するカバータイプ情報に基づいて、タッチスクリーン１４０のディスプレイ画面中、ウィンドウ領域に対応する第１領域と、カバー入力領域に対応する第２領域とが確認でき、第１領域を、情報表示領域として、第２領域を、タッチ入力領域として活性化できる。この際、第１領域において、タッチ入力も感知できる。
【００８１】
図９、１０及び１１は、本発明の実施形態による、多様なタイプのカバー各々に該当するタッチスクリーン領域の構成を示した図である。
【００８２】
図９を参照すると、本発明の一実施形態により、カバー２００において、前面カバー部２１０の上側に、ウィンドウ領域９１０が画成され、前面カバー部２１０の残りの領域が、非ウィンドウ領域９２０として画成され、非ウィンドウ領域９２０の全体が、カバー入力領域である。
【００８３】
この実施形態において、携帯端末１００は、ウィンドウ領域９１０に該当する第１領域９１１と、非ウィンドウ領域９２０、即ち、タッチスクリーン１４０の画面上のカバー入力領域に該当する第２領域９２１とを活性化する。第１領域９１１には、情報が表示でき、タッチ入力が感知できる反面、第２領域９２１には、情報が表示されず、タッチ入力が感知できる。
【００８４】
図１０を参照すると、本発明の他の実施形態により、カバー２００において、前面カバー部２１０の上側に、ウィンドウ領域１０１０が画成され、前面カバー部２１０の残りの領域が、非ウィンドウ領域１０２０として画成され、ウィンドウ領域１０１０の下側に、非ウィンドウ領域１０２０の一部に、カバー入力領域１０３０が画成される。この実施形態において、携帯端末１００は、タッチスクリーン１４０の画面上に、ウィンドウ領域１０１０に該当する第１領域１０１１と、カバー入力領域１０３０に該当する第２領域１０３１とを活性化する。第１領域１０１１には、情報が表示でき、第２領域１０３１では、タッチ入力が感知できる。第１領域１０１１において、タッチ入力も感知できる。
【００８５】
図１１を参照すると、本発明の他の実施形態により、カバー２００において、前面カバー部２１０の上側に、ウィンドウ領域１１１０が画成され、前面カバー部２１０の残りの領域は、非ウィンドウ領域１１２０として画成され、ウィンドウ領域１１１０の下側に、非ウィンドウ領域１１２０の一部に、カバー入力領域１１３０が画成される。この実施形態において、携帯端末１００は、タッチスクリーン１４０の画面上に、ウィンドウ領域１１１０に該当する第１領域１１１１と、カバー入力領域１１３０に該当する第２領域１１３１とを活性化する。第１領域１１１１には、情報が表示でき、第２領域１１３１では、タッチ入力が感知できる。第１領域１１１１において、タッチ入力も感知できる。
【００８６】
図１２を参照すると、本発明の他の実施形態により、カバー２００において、前面カバー部２１０の右側に、ウィンドウ領域１２１０が画成され、前面カバー部２１０の残りの領域は、非ウィンドウ領域１２２０として画成され、ウィンドウ領域１２１０の左側に、非ウィンドウ領域１２２０の一部に、カバー入力領域１２３０が画成される。この実施形態において、携帯端末１００は、タッチスクリーン１４０の画面上に、ウィンドウ領域１２１０に該当する第１領域１２１１と、カバー入力領域１２３０に該当する第２領域１２３１とを活性化する。第１領域１２１１には、情報が表示でき、第２領域１２３１では、タッチ入力が感知できる。第１領域１２１１において、タッチ入力も感知できる。
【００８７】
本発明の一実施形態において、タッチ入力は、多様な方式で適用できる。
【００８８】
図１３は、本発明の実施形態による、タッチ入力を示した図面である。図１３を参照すると、タッチ入力は、ダブルタップ、スワイプアップ又はスワイプダウン（Swipe up or Swipe down）、左にスワイプ又は右にスワイプ（Swipe left or Swipe right）、タッチアンドホールド（Touch and hold）などを含んでもよく、前記タッチ入力は、さらに多くの他のタイプのタッチ入力を含んでもよい。携帯端末１００は、カバー２００のカバー入力領域１３３０から受信され、タッチスクリーン１４０の第２領域で検出された第１タイプのタッチ入力を第１コマンドとして処理できる。携帯端末１００は、ウィンドウ領域１３１０から受信され、タッチスクリーン１４０の第１領域で検出される第１タイプのタッチ入力を第２コマンドとして処理できる。さらに、携帯端末１００は、カバー２００のウィンドウ領域１３１０から受信され、タッチスクリーン１４０の第１領域で検出される第２タイプのタッチ入力を第３コマンドとして処理できる。携帯端末１００は、カバー２００の非ウィンドウ領域１３２０から受信され、タッチスクリーン１４０の第２領域で検出される第３タイプのタッチ入力を第４コマンドとして処理できる。
【００８９】
本発明の様々な実施形態において、第１〜第４コマンドは、多様な制御コマンドであり得る。例えば、第１〜第４制御コマンドは、音楽再生情報を制御する制御コマンド、カメラプレビューを制御する制御コマンド、通話を制御する制御コマンド、及びアプリケーション関連の制御コマンドであってもよい。その他にも、第１〜第４制御コマンドは、他の応用プログラムに関連した制御コマンドであってもよい。
【００９０】
図１４は、本発明の一実施形態による、携帯端末におけるタッチスクリーン上の第１領域及び第２領域を用いた音楽再生情報の制御操作を示したフローチャートである。図１５Ａ及び１５Ｂは、本発明の一実施形態による、携帯端末１００におけるタッチスクリーン１４０上の第１領域及び第２領域を用いた音楽再生情報の制御画面を示した図である。
【００９１】
図１４、図１５Ａ及び１５Ｂを参照すると、カバー２００により覆われた状態で、携帯端末１００は、ステップ１４１０において、カバー２００のウィンドウ領域１５１０に対応するタッチスクリーンの第１領域１５１１に、音楽再生情報、例えば、再生した音楽のタイトルを表示する。
【００９２】
ステップ１４２０において、携帯端末１００は、カバー２００の非ウィンドウ領域に対応するタッチスクリーンの第２領域１５２０にタッチ入力が適用されたか否かを判断する。例えば、携帯端末１００は、カバー２００の非ウィンドウ領域又は非ウィンドウ領域のうち、カバー入力領域に該当する第２領域１５２０に、第１タイプのタッチ入力又は第２タイプのタッチ入力が適用されたかを判断することができる。
【００９３】
図１５Ａを参照すると、第１タイプのタッチ入力は、第１方向のスワイプ入力、例えば、左にスワイプ１５３１であってもよい。図１５Ｂを参照すると、第２タイプのタッチ入力は、第２方向のスワイプ入力、例えば、右にスワイプ１５３２の入力であってもよい。
【００９４】
第１タイプのタッチ入力１５３１が、第２領域１５２０に適用された場合、携帯端末１００は、ステップ１４３０において、第１タイプのタッチ入力１５３１により、再生される次の音楽のタイトルを表示するように制御する。例えば、第１音楽のタイトル、「Song 1 title」が、第１領域１５１１に表示されつつ、第２領域１５２０に、左にスワイプ１５３１が入力されると、携帯端末１００は、図１５Ｂに示されたように、第１領域１５１１に、第２音楽のタイトル、「Song 2 title」を表示するように制御できる。
【００９５】
第２タイプのタッチ入力１５３２が、第２領域１５２０に適用された場合、携帯端末１００は、ステップ１４４０において、第２タイプのタッチ入力による以前の音楽のタイトルを表示するように制御する。例えば、図１５Ｂに示されたように、第１領域１５１１に、第２音楽のタイトル、「Song 2 title」が表示されつつ、第２領域１５２０に、右にスワイプ１５３２が入力されると、携帯端末１００は、図１５Ａに示されたように、第１領域１５１１に、第１音楽のタイトル、「Song 1 title」を表示するように制御できる。
【００９６】
図１６は、本発明の一実施形態による、携帯端末１００におけるタッチスクリーンの第１領域及び第２領域を用いたカメラプレビューの制御操作を示したフローチャートである。図１７は、本発明の一実施形態による、携帯端末におけるタッチスクリーンの第１領域及び第２領域を用いたカメラプレビューの制御画面を示した図である。
【００９７】
図１６及び１７を参照すると、カバー２００が覆われた状態で、携帯端末１００は、ステップ１６１０において、カバー２００のウィンドウ領域１７１０に対応する第１領域１７１１に、カメラプレビューを表示する。
【００９８】
ステップ１６２０において、携帯端末１００は、カバー２００の非ウィンドウ領域に対応する第２領域１７２０に、タッチ入力が適用されたか否かを判断する。例えば、携帯端末１００は、カバー２００の非ウィンドウ領域又は非ウィンドウ領域のうちのカバー入力領域に対応する第２領域１７２０に、第１タイプのタッチ入力又は第２タイプのタッチ入力が適用されたか否かが判断できる。
【００９９】
図１７を参照すると、第１タイプのタッチ入力は、第１方向又は第２方向のスワイプ入力、例えば、スワイプアップ又はスワイプダウン１７３１の入力であってもよく、第２タイプのタッチ入力は、第３方向又は第４方向のスワイプ入力、例えば、左にスワイプ又は右にスワイプ１７３２の入力であってもよい。
【０１００】
第１タイプのタッチ入力１７３１が、第２領域１７２０に適用された場合、携帯端末１００は、ステップ１６３０において、第１タイプのタッチ入力１５３１によるズームイン又はズームアウトを制御する。例えば、スワイプアップの入力があると、携帯端末１００は、カメラプレビューのズームインを行うことができ、スワイプダウンの入力があると、携帯端末１００は、カメラプレビューのズームアウトを行うことができる。
【０１０１】
第２タイプタッチ入力１７３２が、第２領域１７２０に適用された場合、携帯端末１００は、ステップ１６４０において、第２タイプのタッチ入力による写真撮影又はビデオ撮影を制御する。例えば、左にスワイプの入力があると、携帯端末１００は、写真撮影を行うことができ、右にスワイプの入力があると、携帯端末１００は、ビデオ撮影を行うことができる。
【０１０２】
図１８は、本発明の一実施形態による、携帯端末におけるタッチスクリーンの第１領域及び第２領域を用いた通話中の制御操作を示したフローチャートである。図１９Ａ、１９Ｂ、２０Ａ及び２０Ｂは、本発明の一実施形態による、携帯端末１００におけるタッチスクリーン１４０の第１領域及び第２領域を用いた通話中の制御画面を示した図である。
【０１０３】
図１８、１９Ａ、１９Ｂ、２０Ａ及び２０Ｂを参照すると、カバー２００が覆われた状態で、携帯端末１００は、ステップ１８１０において、カバー２００のウィンドウ領域に対応する第１領域に、通話中の情報を表示する。
【０１０４】
ステップ１８２０において、携帯端末１００は、タッチ入力が検出されたか否かを判断する。例えば、携帯端末１００は、カバー２００の非ウィンドウ領域又はカバー２００の非ウィンドウ領域うちのカバー入力領域から受信されたタッチ入力を、第２領域を通じて検出でき、カバー２００のウィンドウ領域から受信されたタッチ入力を、第１領域を通じて検出できる。
【０１０５】
ウィンドウ領域に対応する第１領域でタッチ入力が検出されると、携帯端末１００は、ステップ１８３０において、通話を終了する。例えば、図１９Ａに示されたように、ウィンドウ領域１９１０を通じて、通話中の情報を表示している第１領域１９１１で、左にスワイプ１９３１の入力が検出されると、携帯端末１００は、通話を終了し、図１９Ｂに示されたように、第１領域１９１１に通話の終了を知らせる情報、「call ended」を表示する。
【０１０６】
非ウィンドウ領域又は非ウィンドウ領域のうちのカバー入力領域に対応する第２領域で、タッチ入力が検出されると、携帯端末１００は、ステップ１８４０において、第１領域にイベント情報を表示するように制御する。例えば、図２０Ａに示されたように、第２領域２０２０で、左にスワイプ２０３１の入力が検出されると、携帯端末１００は、ウィンドウ領域２０１０に対応する第１領域２０１１に、通話中の情報表示を中断し、図２０Ｂに示されたように、第１領域２０１１に、予め定められたイベント情報が表示できる。この際、イベント情報は、約束又はスケジュールに関する情報であってもよい。図２０Ｂに示されたように、第１領域２０１１に、予め定められたイベント情報が表示されている状態で、第２領域２０２０で、右にスワイプ２０３２の入力が検出されると、携帯端末１００は、図２０Ａに示されたように、第１領域２０１１に通話中の情報が表示できる。
【０１０７】
図２１は、本発明の一実施形態による、携帯端末におけるタッチスクリーンの第１領域及び第２領域を用いたアプリケーションの制御操作を示したフローチャートである。図２２Ａ、２２Ｂ、２３Ａ及び図２３Ｂは、本発明の一実施形態による、携帯端末におけるタッチスクリーンの第１領域及び第２領域を用いたアプリケーションの制御画面を示した図である。
【０１０８】
図２１、２２Ａ、２２Ｂ、２３Ａ及び２３Ｂを参照すると、カバー２００が覆われた状態で、携帯端末１００は、ステップ２１１０において、カバー２００のウィンドウ領域に対応する第１領域に、少なくとも一つのアプリケーションに関する情報を表示する。例えば、携帯端末１００は、第１領域に、少なくとも一つのアプリケーションアイコンが表示できる。
【０１０９】
ステップ２１２０において、携帯端末１００は、カバー２００の非ウィンドウ領域に対応する第２領域に、タッチ入力が適用されたか否かを判断する。例えば、携帯端末１００は、カバー２００の非ウィンドウ領域又はカバー２００の非ウィンドウ領域のうちのカバー入力領域に対応する第２領域に、第１タイプのタッチ入力又は第２タイプのタッチ入力が適用されたか否かを判断することができる。
【０１１０】
図２２Ａ、２２Ｂ、２３Ａ及び２３Ｂを参照すると、第１タイプのタッチ入力は、第１方向又は第２方向のスワイプ入力、例えば、スワイプアップ２２３２又はスワイプダウン２２３１の入力であってもよく、第２タイプのタッチ入力は、第３方向又は第４方向のスワイプ入力、例えば、左にスワイプ２３３１又は右にスワイプ２３３２の入力であってもよい。
【０１１１】
第２領域に第１タイプのタッチ入力が受信されると、携帯端末１００は、ステップ２１３０において、第１タイプのタッチ入力によるアプリケーションを選択する。例えば、携帯端末１００は、図２２Ａに示されたような、第２領域２２２０におけるスワイプダウン２２３１、又は図２２Ｂに示されたようなスワイプアップ２２３２の入力により、第１領域２２１１に表示された少なくとも一つのアプリケーションアイコンのうちの一つが、ウィンドウ領域２２１０を通じて選択できる。
【０１１２】
第２領域に第２タイプのタッチ入力が受けられると、携帯端末１００は、ステップ２１４０において、第２タイプのタッチ入力によるアプリケーションを実行する。例えば、図２３Ａに示されたように、ウィンドウ領域２３１０を通じて見たとき、音楽プレーヤーが、第１領域２３１１で選ばれた状態で、第２領域上に、左にスワイプ２３３１の入力があると、携帯端末１００は、音楽プレーヤーを実行し、図２３Ｂに示されたように、第１領域２３１１に音楽プレーヤーの実行画面が表示できる。また、図２３Ｂに示されたように、第１領域２３１１に、音楽プレーヤーの実行画面が表示されている状態で、右にスワイプ２３３２の入力があると、携帯端末１００は、音楽プレーヤーの実行を中断し、図２３Ａに示されたように、第１領域２３１１に、少なくとも一つのアプリケーションアイコンを再び表示することができる。
【０１１３】
本発明の様々な実施形態において、少なくとも一つのウィンドウ領域がカバー２００上に形成されるので、カバー２００が携帯端末１００のタッチスクリーンを覆っても、ユーザは、ウィンドウ領域に該当するタッチスクリーン１４０の第１領域に表示された情報を、ウィンドウ領域を通じて都合よく見ることができる。
【０１１４】
本発明の様々な実施形態において、カバー２００の非ウィンドウ領域又はカバー２００の非ウィンドウ領域のうちのカバー入力領域に、タッチ入力が適用でき、携帯端末１００は、タッチ入力によりウィンドウ領域に該当する第１領域に、情報の表示が制御できる。したがって、カバー２００が携帯端末１００を覆う状態でも、ユーザは、都合よく、携帯端末１００の情報表示が制御できる。本発明の他の実施形態において、カバー２００上には、キーパッドが形成できる。例えば、カバー２００における前面カバー部２１０の非ウィンドウ領域に画成されたカバー入力領域に、キーパッドが形成できる。キーパッドが、カバー２００上に形成される場合、携帯端末１００は、キーパッドを通じて入力が検出できる。
【０１１５】
図２４Ａ、２４Ｂ及び２４Ｃは、本発明の他の実施形態による、キーパッドが形成されたカバーを示す図面である。
【０１１６】
図２４Ａ、２４Ｂ及び２４Ｃを参照すると、カバー２４００の前面カバー部２４１０は、図２４Ａに示されたように、フリップ（flip）されて開閉できる。
【０１１７】
カバー２４００の前面カバー部２４１０が閉じられる際、携帯端末１００のベゼル１０２に形成された部品（例えば、スピーカー）は、前面カバー部２４１０に形成された開口２４０１ｂを通じて、外部に露出できる。図２４Ｂには、一つの開口２４０１ｂのみが形成された例を示しているが、前面カバー部２４１０が閉じられる際、携帯端末１００のベゼル１０２上に形成された複数の部品（例えば、スピーカー、カメラなど）が、前記開口を通じて外部に露出できるように、複数の開口が前面カバー部２４１０に形成されてもよい。前述のように、カバー２４００の前面カバー部２４１０が閉じられる際、図２４Ｂに示されたように、携帯端末１００のタッチスクリーン１４０の少なくとも一部が、前面カバー部２４１０により覆われ得る。図２４Ｂを参照すると、カバー２４００の前面カバー部２４１０が閉じられる際、ウィンドウ領域２４０１ａに対応するタッチスクリーン１４０の一部領域が外部に露出できる反面、タッチスクリーン１４０の残りの領域は、露出できない。
【０１１８】
図２４Ｃに示されたように、前面カバー部２４００が開かれる際、携帯端末１００のタッチスクリーン１４０の全体領域が外部に露出できる。
【０１１９】
図２５は、本発明の一実施形態による、前面カバー部２４１０上に形成されたキーパッドを示した図面である。図２５を参照すると、ウィンドウ領域２４０１ａ及び開口２４０１ｂを除き、前面カバー部２４１０の残りの領域に占める非ウィンドウ領域のカバー入力領域に、キーパッド２４５０が形成される。この際、カバー入力領域には、キーパッド２４５０と共に、一つ以上のボタン２４４０が形成される。
【０１２０】
一つ以上のボタン２４４０は、ウィンドウ領域２４０１ａの下端に配置される。一つ以上のボタン２４４０は、メニューボタン２４４１、ホームボタン２４４２、バックボタン２４４３、及び検索（search）ボタン２４４４を含む。一つ以上のボタン２４４０は、さらにリーセント（recent）ボタンを含んでもよく、これ以外にも、他の機能ボタン、例えば、インターネットボタン、カメラボタン及びメッシンジャーボタンを含んでもよい。一つ以上のボタン２４４０は、ベゼル１０２に形成されたボタン(例えば、ホームボタン１０５)と同一の機能を行うボタンを含んでもよい。
【０１２１】
キーパッド２４５０は、一つ以上のボタン２４４０の下端に配置され、複数のキーを含む。複数のキーは、例えば、少なくとも一つの数字キー２５４１、少なくとも一つの文字キー２４５２、及び少なくとも一つの機能キーを含んでもよい。前記少なくとも一つの機能キーは、バックスペースキー２４５３、大小文字変換キー２４５４、記号数字変換キー２４５５、ハングル英文変換キー２４０６、設定キー２４５７、スペースキー２４５８、少なくとも一つの句読点キー２４５９、及びエンターキー２４６０を含む。前記少なくとも一つの機能キーは、他の機能キーをさらに含んでもよい。複数のキーは、キーパッド２４５０にクオーター方式で配列できる。本発明の様々な実施形態において、複数のキーは、キーパッド２４５０におけるクオーター方式の配列以外の多様な方式で配列することもできる。また、複数のキーは、前面カバー部２４１０が開かれる場合、タッチスクリーン１４０上に表示されるソフトウェアキーパッドと同一の形態で、キーパッド２４５０に配列することもできる。これにより、前面カバー部２４１０が閉じられた状態でも、ユーザは、ソフトウェアキーパッドを用いる場合と同様に、都合よく前面カバー部２４１０のキーパッド２４５０が使用できる。
【０１２２】
前述の一つ以上のボタン２４４０と、キーパッド２４５０とは、前面カバー部２４１０の外側表面上に形成できる。例えば、一つ以上のボタン２４４０及びキーパッド２４５０の各ボタン又は各キーは、前面カバー部２４１０の外側表面上に刻印されてもよく、印刷されてもよい。一つ以上のボタン２４４０及びキーパッド２４５０の各ボタン又は各キーが、前面カバー部２４１０の外側表面上に刻印されるか印刷される場合に、ユーザの指又はスタイラスペンなどのタッチ可能な物体が、ボタン又はキーに接触されると、携帯端末１００は、前面カバー部２４１０の表面上の前記ボタン又はキーに対する接触が感知できる。携帯端末１００は、前面カバー部２４１０の表面上の前記ボタン又はキーの接触に対応するボタン入力又はキー入力が検出できる。
【０１２３】
本発明の他の実施形態において、一つ以上のボタン２４４０及びキーパッド２４５０の各ボタン又は各キーは，操作突起と作動突起とを含んでもよい。
【０１２４】
図２６Ａ、２６Ｂ及び２６Ｃは、本発明の一実施形態による、前面カバー部上に形成されたキーを説明するための図面である。図２６Ａ、２６Ｂ及び２６Ｃを参照すると、キーパッド２４５０の各キーは、操作突起と作動突起とを含むように形成できる。
【０１２５】
例えば、図２６Ａを参照すると、キーパッド２４５０の各キー（例えば、Ｋキー）２４５２−１は、操作突起２６１０と作動突起２６２０とを含んでもよい。操作突起２６１０は、ユーザの指やスタイラスペンなどの操作可能な物体２６００により操作された突起であり得る。作動突起２６２０は、ユーザの指やスタイラスペンなどの操作可能な物体２６００により操作突起２６１０の操作の際に作動する突起であり得る。例えば、図２６Ｂを参照すると、操作突起２６１０は、接触面を有してもよく、操作可能な物体２６００が、操作突起２６１０の接触面を押してもよい。操作突起２６１０の押さえにより、作動突起２６２０も加圧できる。作動突起２６２０は、弾性体を含んでもよく、タッチスクリーン１４０と一定の距離ほど離隔された状態であってもよい。前記弾性体は、操作突起２６１０により押された後、元の状態に戻ることができる。作動突起２６２０が加圧されると、図２６Ｃに示されたように、作動突起２６２０は、タッチスクリーン１４０に接触できる。ユーザは、操作突起２６１０と作動突起２６２０とを含むキー上に、物理的加圧感を感じながら、入力動作を行うことができる。
【０１２６】
ユーザが、操作突起２６１０を押すことにより、携帯端末１００は、タッチスクリーン１４０上の作動突起２６２０のタッチが感知でき、作動突起２６２０のタッチに対応するボタン入力又はキー入力が検出できる。
【０１２７】
本発明の一実施形態において、前面カバー部２４１０が開かれる場合、携帯端末１００は、タッチスクリーン１４０上にフルスクリーンが表示できる。これに反し、前面カバー部２４１０が閉じられる場合、携帯端末１００は、ウィンドウ領域２４０１ａに対応するタッチスクリーン１４０の第１領域に、ミニスクリーンが表示できる。前記フルスクリーンとは、タッチスクリーン１４０の全体に表示される画面をいい、前記ミニスクリーンとは、前記フルスクリーンを縮小した画面を言う。例えば、ミニスクリーンは、タッチスクリーン１４０の全体に表示される全ロック画面の縮小された画面、タッチスクリーン１４０の全体に表示される全ホーム画面の縮小された画面、又はタッチスクリーン１４０の全体に表示される全アプリケーション実行画面の縮小された画面であってもよい。
【０１２８】
図２７の（ａ）及び（ｂ）は、本発明の一実施形態による、フルスクリーン及びミニスクリーンを示した図面である。
【０１２９】
図２７の（ａ）を参照すると、前面カバー部２４１０が開かれるによって、タッチスクリーン１４０上に、フルスクリーンが表示される。図２７の（ｂ）を参照すると、前面カバー部２４１０が、図２７の（ａ）に示された状態で閉じられると、ウィンドウ領域２４０１aに対応する第１領域において、フルスクリーンがミニスクリーンに転換され得る。これと反対に、図２７の（ｂ）に示されたように、閉じられた前面カバー部２４１０により、ウィンドウ領域２４０１ａに対応する第１領域に、ミニスクリーンが表示された状態で、図２７の（ａ）に示されたように、前面カバー部２４１０が開かれると、タッチスクリーン１４０上で、ミニスクリーンがフルスクリーンに転換される。
【０１３０】
本発明の一実施形態において、携帯端末１００は、前面カバー部２４１０が閉じられた状態で、前面カバー部２４１０のウィンドウ領域２４０１ａに対応するタッチスクリーン１４０の第１領域に、多様なタイプのミニスクリーンが表示できる。
【０１３１】
図２８Ａ、２８Ｂ、２８Ｃ、２８Ｄ及び２８Ｅは、本発明の一実施形態による第１〜第５タイプのミニスクリーンを示した図面である。図２８Ａ、２８Ｂ、２８Ｃ、２８Ｄ及び２８Ｅを参照すると、前面カバー部２４１０が閉じられた状態で、携帯端末１００が一般モードである場合、携帯端末１００は、第１〜第５タイプのミニスクリーンを表示する。
【０１３２】
図２８Ａを参照すると、第１タイプのミニスクリーンは、状態バー２８１１及び時間情報領域２８１３を含む。図２８Ｂを参照すると、第２タイプのミニスクリーンは、状態バー２８２１、時間情報領域２８２３、及び天気情報領域２８２５を含む。図２８Ｃを参照すると、第３タイプのミニスクリーンは、状態バー２８３１、時間情報領域２８３３、及びカレンダー情報領域２８３７を含む。図２８Ｄを参照すると、第４タイプのミニスクリーンは、状態バー２８４１、時間情報領域２８４３、通話情報領域２８４６、及びＥメール情報領域２８４８を含む。図２８Ｅを参照すると、第５タイプのミニスクリーンは、状態バー２８５１、時間情報領域２８５３、及びミニアプリケーション領域２８５９を含む。ミニアプリケーション領域２８５９は、音楽再生アプリケーションの実行中、音楽再生アプリケーションの実行に関する情報を表示し、音楽再生アプリケーションが制御できるミニ音楽アプリケーション領域であり得る。この際、ミニスクリーンには、音楽再生アプリケーション以外の機能のミニアプリケーション領域が含まれてもよい。
【０１３３】
図２９Ａ、２９Ｂ、２９Ｃ、２９Ｄ及び２９Ｅは、本発明の一実施形態による、第６〜第１０タイプのミニスクリーンを示した図面である。
【０１３４】
図２９Ａ、２９Ｂ、２９Ｃ、２９Ｄ及び２９Ｅを参照すると、前面カバー部２４１０が閉じられた状態で、携帯端末１００がロックモードである場合、携帯端末１００は、第６〜第１０タイプのミニスクリーンが表示できる。
【０１３５】
図２９Ａを参照すると、第６タイプのミニスクリーンは、状態バー２９１１、 時間情報領域２９１３、及びパスワード入力領域２９１５を含む。パスワード入力領域２９１５にパスワードが入力されると、携帯端末１００は、ロックモードから一般モードに転換できる。図２９Ｂを参照すると、第７タイプのミニスクリーンは、状態バー２９２１、時間情報領域２９２３、及びＰＩＮ（Personal Identification Number）入力領域２９２５を含む。ＰＩＮ入力領域２９２５にＰＩＮが入力されると、携帯端末１００は、ロックモードから一般モードに転換できる。図２９Ｃを参照すると、第８タイプのミニスクリーンは、状態バー２９３１、時間情報領域２９３３、及びロック解除パターン入力領域２９３５を含む。ロック解除パターン入力領域２９３５にロック解除パターンが入力されると、携帯端末１００は、ロックモードから一般モードに転換できる。図２９Ｄを参照すると、第９タイプのミニスクリーンは、状態バー２９４１、時間情報領域２９４３、ロック解除パターン入力領域２９４８、及び知らせアイコン２９４６を含む。知らせアイコン２９４６は、アプリケーションから知らせの存在を示すアイコンであり得る。図２９Ｅを参照すると、第１０タイプのミニスクリーンは、状態バー２９５１、ミニアプリケーション領域２９５７、及びロック解除パターン入力領域２９５８を含む。ミニアプリケーション領域２９５７は、音楽再生アプリケーションの実行中、音楽再生アプリケーションの実行に関する情報を表示し、音楽再生アプリケーションが制御できるミニ音楽アプリケーショ領域であり得る。この際、ミニスクリーンには、音楽再生アプリケーション以外の機能のミニアプリケーション領域が含まれてもよい。
【０１３６】
図３０Ａ及び３０Ｂは、本発明の一実施形態による、第１１及び第１２タイプのミニスクリーンを示した図面である。図３０Ａ及び３０Ｂを参照すると、前面カバー部２４１０が閉じられた状態で、携帯端末１００は、第１１及び第１２タイプのミニスクリーンを表示する。
【０１３７】
図３０Ａを参照すると、第１１タイプのミニスクリーンは、状態バー３０１１、ミニホーム領域３０１３、及びショットカットアイコン領域３０１５を含む。ミニホーム領域３０１３は、ホームスクリーンの縮小された画面であって、ホームスクリーン上に表示されるアプリケーションを代表するショットカットイメージが表示できる。ショットカットイメージが選ばれると、該ショットカットイメージに対応するアプリケーションが実行できる。ショットカットアイコン領域３０１５には、一つ以上のショットカットアイコンが表示できる。一つ以上のショットカットアイコンは、通話アプリケーション実行アイコン３０１５−１、及びメッセージアプリケーションアイコン３０１５−２を含む。ショットカットアイコンが選ばれると、該ショットカットアイコンに対応するアプリケーションが実行できる。この際、第１１タイプのミニスクリーンにおいて、ショットカットアイコンは、他のショットカットアイコンに変更できる。
【０１３８】
例えば、図３０Ｂを参照すると、第１２タイプのミニスクリーンは、状態バー３０２１、ミニホーム領域３０２３、及びショットカットアイコン領域３０２５を含み、第１１タイプのミニスクリーンに表示される少なくとも一つのショットカットアイコンを変更することにより構成できる。例えば、第１１タイプのミニスクリーンにおいて、メッセージアプリケーションアイコン３０１５−２の代わりに、検索アイコン３０２５−２が含まれてもよい。
【０１３９】
図３１は、本発明の一実施形態による、第１３タイプのミニスクリーンを示した図面である。図３１を参照すると、前面カバー部２４１０が閉じられた状態で、携帯端末１００は、ウィンドウ領域２４０１aに対応する第１領域に、ユーザの速いアクセスが必要な重要機能に該当する第１３タイプのミニスクリーンを表示する。例えば、第１３タイプのミニスクリーンは、リモートコントロールミニスクリーン３１１０であり得る。リモートコントロールミニスクリーン３１１０は、ボリューム制御ボタン３１１１、及びチャンネル制御ボタン３１１３を含んでもよい。ボリューム制御ボタン３１１１は、音のボリュームを調節するためのボタンであり、チャンネル制御ボタン３１１３は，チャンネルを変更するためのボタンである。
【０１４０】
本発明の一実施形態において、携帯端末１００は、タッチスクリーン１４０の第１領域に表示されるミニスクリーン上のタッチ入力によりミニスクリーン表示が制御できる。
【０１４１】
図３２の（ａ）及び（ｂ）は、本発明の一実施形態による、ミニスクリーンの表示を制御する方法を説明するための図面である。
【０１４２】
図３２の（ａ）及び（ｂ）を参照すると、図３２の（ａ）に示されたように、ミニホーム領域３２１３及びショットカットアイコン領域３２１５もまた含む、ホームミニスクリーン３２１０上の状態バー領域３２１１にタッチ入力、例えば、フリック入力があると、携帯端末１００は、図３２の（ｂ）に示されたように、知らせパネル（notification panel）に対応する知らせミニスクリーン３２２０の表示が制御できる。知らせミニスクリーン３２２０は、少なくとも一つのショットカット設定ボタン３２２１、知らせ情報３２２３、及び少なくとも一つのミニアプリケーション領域３２２５を含む。少なくとも一つのショットカット設定ボタン３２２１は、Ｗｉ−Ｆｉ設定ボタン、ＧＰＳ設定ボタン、ミュート（Ｍｕｔｅ）設定ボタン、Ａｌｌ ｓｈａｒｅ設定ボタン、及びブルートゥース（登録商標）設定ボタンを含んでもよい。知らせ情報３２２３は、各種のアプリケーションからの知らせ情報を含んでもよい。少なくとも一つのミニアプリケーション領域３２２５は、例えば、Ｅメールアプリケーションを制御可能なミニＥメールアプリケーション領域又はダウンロードアプリケーションを制御可能なミニダウンロードアプリケーション領域を含んでもよい。この際、Ｅメールアプリケーション及びダウンロードアプリケーション以外の機能又はアプリケーションのミニアプリケーション領域が含まれてもよい。
【０１４３】
本発明の様々な実施形態において、前面カバー部２４１０のキーパッド２４５０を通じた少なくとも一つのキー入力が感知されると、携帯端末１００は、少なくとも一つのキー入力に対応するテキストの入力を受ける。
【０１４４】
図３３の（ａ）、（ｂ）、及び（ｃ）、図３４の（ａ）、（ｂ）、（ｃ）、（ｄ）及び（ｅ）は、本発明の一実施形態による、携帯端末における前面カバー部のキーパッドを通じたテキスト入力による動作を示した図面である。
【０１４５】
図３３の（ａ）、（ｂ）、及び（ｃ）を参照すると、携帯端末１００は、 図３３の（ａ）に示されたように、前面カバー部２４１０のウィンドウ領域２４０１ａに対応するタッチスクリーン１４０の第１領域に、時間ミニスクリーン３３１０を表示する。また、図３３の（ｂ）に示されたように、携帯端末１００は、前面カバー部２４１０のウィンドウ領域２４０１ａに対応するタッチスクリーン１４０の第１領域に、ホームミニスクリーン３３２０を表示する。ミニスクリーン３３１０、３３２０が表示された状態で、前面カバー部２４１０のキーパッド２４５０を通じて、入力される少なくとも一つのキー入力が感知されると、携帯端末１００は、少なくとも一つのキー入力に対応するテキストを用いた検索動作を行ってもよい。テキスト「samsun」が入力された場合（３３０１）、携帯端末１００は、図３３の（ｃ）に示されたように、テキスト「samsun」を検索し、検索結果を示す検索結果ミニスクリーン３３３０を表示する。例えば、検索結果ミニスクリーン３３３０は、検索されたアプリケーション及びＥメールを含めて、キーワード「samsun」に基づいた検索結果が提供できる。
【０１４６】
図３４の（ａ）、（ｂ）、（ｃ）、（ｄ）及び（ｅ）を参照すると、携帯端末１００は、前面カバー部２４１０のウィンドウ領域２４０１ａに対応するタッチスクリーン１４０の第１領域に、検索のための検索ミニスクリーン３４１０を表示する。検索ミニスクリーン３４１０が表示された状態で、前面カバー部２４１０のキーパッド２４５０を通じて、入力される少なくとも一つのキー入力が感知されると、携帯端末１００は、少なくとも一つのキー入力に対応するテキストを用いた検索動作を行う。検索ミニスクリーン３４１０上に、テキスト「samsun」が入力された場合（３４１５）、携帯端末１００は、図３３の（ｂ）に示されたように、携帯端末１００内に格納された情報のうち、テキスト「samsun」を検索し、検索結果ミニスクリーン３４２０を表示する。例えば、携帯端末１００は、テキスト「samsun」を用いた検索動作により検出されたアプリケーション及びＥメールを示す検索結果ミニスクリーン３４２０が表示できる。検索結果ミニスクリーン３４２０は、検索フィールド３４２１と検索結果領域３４２２とを含む。検索フィールド３４２１には、入力されたテキスト、例えば、「samsun」が表示でき、検索結果領域３４２２には、検索結果が表示できる。検索結果領域３４２２は、ユーザ入力に応じてスクロールできる。例えば、検索結果は、図３４の（ｂ）に示されたように、検索結果領域３４２２の下段部から行われたスクロールアップ入力３４３１により、検索結果領域３４２２でスクロールアップされて表示できる。また、図３４の（ｃ）に示されたように、検索結果領域３４３２の上段部から行われたスクロールダウン入力３４３２が受けられると、検索結果情報が、図３４の（ｂ）に示されたように、検索結果領域３４２２でスクロールダウンされて表示できる。
【０１４７】
図３４の（ａ）に示されたように、検索ミニスクリーン３４１０に、キーパッド２４５０を用いて、テキスト「samsun」が入力された場合（３４１５）、図３４の（ｄ）に示されたように、検索アプリケーションを実行し、検索アプリケーションミニスクリーン３４４０が表示できる。例えば、検索アプリケーションミニスクリーン３４４０は、検索フィールド３４４１と、検索アプリケーション領域３４４２とを含んでもよい。検索フィールド３４２１には、入力されたテキスト、例えば、「samsun」が表示でき、検索アプリケーション領域３４４２には、ウェブ検索アプリケーション が表示できる。
【０１４８】
テキスト「samsun」に、「g.com」がさらに入力され、最終的に「samsung.com」が入力された場合、携帯端末１００は、samsung.comのテキスト類型が、ＵＲＬであると判断し、図３４の（ｅ）に示されたように、ＵＲＬミニスクリーン３４５０が表示できる。ＵＲＬミニスクリーン３４５０は、ＵＲＬフィールド３４５１、ＵＲＬ実行アイコン３４５２、及び検索アイコン３４５３を含んでもよい。ＵＲＬフィールド３４５１には、入力されたテキスト、例えば、「samsung.com」のようなＵＲＬが表示できる。ＵＲＬ実行アイコン３４５２は、ＵＲＬフィールド３４５１のＵＲＬに該当するウェブページを実行するためのアイコンであり得る。検索アイコン３４５３は、検索を実行するためのアイコンであり得る。
【０１４９】
本発明の様々な実施形態において、携帯端末１００は、前面カバー部２４１０のキーパッド２４５０を通じて入力されるテキストの類型を判断し、テキストの類型に対応するアプリケーションミニスクリーンが表示できる。
【０１５０】
図３５の（ａ）、（ｂ）、（ｃ）、（ｄ）及び（ｅ）は、本発明の一実施形態による、携帯端末１００における前面カバー部のキーパッドを通じて入力されたテキストの類型による動作を示した図面である。
【０１５１】
図３５の（ａ）、（ｂ）、（ｃ）、（ｄ）及び（ｅ）を参照すると、携帯端末１００は、図３５の（ａ）に示されたように、前面カバー部２４１０のウィンドウ領域２４０１aに対応するタッチスクリーン１４０の第１領域に、検索のための検索ミニスクリーン３５１０を表示する。この際、ホームミニスクリーンが表示されることもできる。検索ミニスクリーン３５１０、ホームミニスクリーン、又は予め定められた他のミニスクリーンが表示された状態で、前面カバー部２４１０のキーパッド２４５０を通じて入力される少なくとも一つのキー入力が感知されると、携帯端末１００は、少なくとも一つのキー入力に対応するテキスト３５０１の入力を受ける。携帯端末１００は、入力されたテキスト３５０１の類型を判断する。例えば、携帯端末１００は、入力されたテキストが、電話番号、Ｅメール、ＵＲＬ、又は長文（Long text）の類型であるかを判断することができる。
【０１５２】
入力されたテキストが電話番号であれば、携帯端末１００は、図３５の（ｂ）に示されたように、電話ミニスクリーン３５２０を表示する。電話ミニスクリーン３５２０は、電話番号フィールド３５２１、メッセージアイコン３５２４、電話アイコン３５２６、及び電話番号追加アイコン３５２８を含む。電話番号フィールド３５２１には、入力されたテキスト、例えば、０１２−３４５６−７８９０のような電話番号が表示できる。メッセージアイコン３５２４は、前記電話番号にメッセージを送るためのアイコンであり得る。電話アイコン３５２６は、前記電話番号に電話をかけるためのアイコンであり得る。電話番号追加アイコン３５２８は、電話番号フィールド３５２１に電話番号を追加するためのアイコンであり得る。
【０１５３】
入力されたテキストがＥメールであると、携帯端末１００は、図３５の（ｃ）に示されたように、Ｅメールミニスクリーン３５３０を表示する。Ｅメールミニスクリーン３５３０は、Ｅメールアドレスフィールド３５３１、Ｅメールアイコン３５３４、及びＥメールアドレス追加アイコン３５３６を含む。Ｅメールアドレスフィールド３５３１には、入力されたテキスト、例えば、tizen@samsung.comのようなＥメールアドレスが表示できる。Ｅメールアドレス追加アイコン３５３６は、Ｅメールアドレスフィールド３５３１に、Ｅメールアドレスを追加するためのアイコンであり得る。
【０１５４】
入力されたテキストがＵＲＬであると、携帯端末１００は、図３５の（ｄ）に示されたように、ＵＲＬミニスクリーン３５４０を表示する。ＵＲＬミニスクリーン３５４０は、ＵＲＬフィールド３５４１、ＵＲＬアイコン３５４４、及び検索アイコン３５４６を含む。ＵＲＬフィールド３５４１には、入力されたテキスト、例えば、samsung.comのようなＵＲＬが表示できる。ＵＲＬアイコン３５４４は、ＵＲＬフィールド３４４１のＵＲＬに該当するウェブページを実行するためのアイコンであり得る。検索アイコン３５４６は、検索を実行するためのアイコンであり得る。
【０１５５】
入力されたテキストが長文であると、携帯端末１００は、図３５の（ｅ）に示されたように、ＳＮＳ（Social Network Service）ミニスクリーン３５５０を表示する。ＳＮＳミニスクリーン３５５０は、長文フィールド３５５１、第１ＳＮＳアイコン３５５４、第２ＳＮＳアイコン３５５６、及びメモアイコン３５５８を含む。長文フィールド３５５１には、入力されたテキスト、例えば、長文が表示できる。第１ＳＮＳアイコン３５５４は、例えば、facebookアイコンであってもよい。第２ＳＮＳアイコン３５５６は、例えば、Ｔｗｉｔｔｅｒアイコンであり得る。メモアイコン３５５８は、長文をメモできるアイコンであり得る。前述のように、携帯端末１００は、ホームミニスクリーン又は検索ミニスクリーン３５１０でテキスト入力により、ＳＮＳミニスクリーン３５５０を表示し、入力されたテキストをＳＮＳミニスクリーン３５５０に表示できる。本発明の他の実施形態において、携帯端末１００は、テキストが入力されていない状態でも、ポップ（ＰＯＰ）知らせによりＳＮＳミニスクリーン３５５０が自動に表示でき、ＳＮＳミニスクリーン３５５０が表示された状態で、テキストが入力できる。
【０１５６】
本発明の様々な実施形態において、前面カバー部２４１０が閉じられた状態で、携帯端末１００は、ミニスクリーン上の入力又は前面カバー部２４１０のキーパッド２４５０からの入力により、多様な機能を行うことができる。例えば、携帯端末１００は、前面カバー部２４１０のキーパッド２４５０を通じたテキスト入力をコマンドとして認識して、該コマンドによる機能を行うことができる。この際、キーパッド２４５０は、ユーザと携帯端末１００との間に、情報をやり取る役割をするユーザインターフェースとして、コマンドラインインターフェース（ＣＬＩ：Command Line Interface）の役割を行うことができる。
【０１５７】
図３６の（ａ）、（ｂ）、（ｃ）、（ｄ）及び（ｅ）は、本発明の一実施形態による、携帯端末１００の前面カバー部が閉じられた状態で、ミニスクリーン又は前面カバー部のキーパッドを通じた入力により通話機能を行う動作を示した図面である。
【０１５８】
図３６の（ａ）、（ｂ）、（ｃ）、（ｄ）及び（ｅ）を参照すると、ウィンドウ領域２４０１a、少なくとも一つのボタン２４４０及びキーパッド２４５０を有する前面カバー部２４１０が、閉じられた状態で、携帯端末１００は、ウィンドウ領域２４０１aに対応するタッチスクリーン１４０の第１領域に、ホームミニスクリーン３６１０を表示する。ホームミニスクリーン３６１０は、通話アプリケーションアイコン３６１１、及びメッセージアプリケーションアイコン３６１３を含む。
【０１５９】
図３６の（ａ）に示されたようなホームミニスクリーン３６１０上に表示された通話アプリケーションアイコン３６１１に、タップ入力があると、携帯端末１００は、通話ミニスクリーン３６２０を表示し、図３６の（ｂ）に示されたような通話ミニスクリーン３６２０上に、メッセージボタン３５２４、通話ボタン３５２６、及び接触ボタン３５２８が表示される。図３６の（ｂ）に示されたように、通話ミニスクリーン３６２０が表示された状態で、前面カバー部２４１０のキーパッド２４５０を通じて、電話番号が入力されると、携帯端末１００は、図３６の（ｅ）に示されたように、電話番号が入力された通話ミニスクリーン３６５０を表示する。
【０１６０】
図３６の（ａ）に示されたように、ホームミニスクリーン３６１０の通話アプリケーションアイコン３６１１に、タップアンドホールド（tap and hold）入力があると、携帯端末１００は、図３６の（ｃ）に示されたように、通話記録ミニスクリーン３６３０を表示する。
【０１６１】
図３６の（ｃ）に示されたように、通話記録ミニスクリーン３６３０において、通話記録が選ばれると、携帯端末１００は、図３６の（ｅ）に示めされたように、選ばれた通話記録に該当する電話番号と共に、通話ミニスクリーン３６５０を表示する。
【０１６２】
図３６の（ａ）に示されたように、ホームミニスクリーン３６１０が表示された状態で、前面カバー部２４１０のキーパッド２４５０を通じたテキスト入力があると、携帯端末１００は、電話番号長でテキストに対応する電話番号を検索し、図３６の（ｄ）に示されたように、検索ミニスクリーン３６４０を表示する。図３６の（ｄ）に示されたような電話番号検索ミニスクリーン３６４０上の検索結果から一つの電話番号が選ばれると、携帯端末１００は、図３６の（ｅ）に示されたように、選ばれた電話番号と共に、通話ミニスクリーン３６５０を表示する。
【０１６３】
図３６の（ａ）に示されたように、ホームミニスクリーン３６１０が表示された状態で、前面カバー部２４１０のキーパッド２４５０を通じた電話番号の入力があると、携帯端末１００は、電話番号の入力を受け、図３６の（ｅ）に示されたように、電話番号が入力された通話ミニスクリーン３６５０を表示する。
【０１６４】
図３６の（ｅ）に示されたように、電話番号が入力された通話ミニスクリーン３６５０上に、通話ボタン３６５２の入力があると、携帯端末１００は、入力された電話番号で電話をかけることができる。
【０１６５】
図３７の（ａ）、（ｂ）、及び（ｃ）は、本発明の一実施形態による、前面カバー部２４１０が閉じられた状態で、ミニスクリーンにおける入力又は前面カバー部のキーパッドの入力により、メッセージ機能を行う動作を示した図面である。
【０１６６】
図３７の（ａ）、（ｂ）、及び（ｃ）を参照すると、図３７の（ａ）に示されたように、通話アプリケーションアイコン３７１１も含む、ホームミニスクリーン３７１０上に表示されたメッセージアプリケーションアイコン３７１３に、タップ入力があると、携帯端末１００は、図３７の（ｂ）に示されたように、メッセージリストミニスクリーン３７２０を表示する。メッセージリストミニスクリーン３７２０は、対話リスト３７２１を含む。図３７の（ｂ）に示されたように、メッセージリストミニスクリーン３７２０上の対話リスト３７２１から対話が選ばれると、携帯端末１００は、図３７の（ｃ）に示されたように、対話ミニスクリーン３７３０を表示する。対話ミニスクリーン３７３０は、対話３７２１を含む。また、図３７の（ａ）に示されたように、ホームミニスクリーン３７１０のメッセージアプリケーションアイコン３７１３に、タップアンドホールドの入力があると、携帯端末１００は、図３７の（ｃ）に示されたように、対話ミニスクリーン３７３０を表示する。
【０１６７】
図３８Ａ、３８Ｂ、３８Ｃ、３８Ｄ、３８Ｅ、３８Ｆ及び３８Ｇは、本発明の一実施形態による、携帯端末１００の前面カバー部２４１０が閉じられた状態で、ミニスクリーン上にアプリケーションが選択されると、多様なアプリケーション機能を行う動作を示した図面である。
【０１６８】
図３８Ａ、３８Ｂ、３８Ｃ、３８Ｄ、３８Ｅ、３８Ｆ及び３８Ｇを参照すると、ウィンドウ領域２４０１a、少なくとも一つのボタン２４４０及びキーパッド２４５０を有する前面カバー部２４１０が閉じられた状態で、携帯端末１００は、ウィンドウ領域２４０１aに対応するタッチスクリーン１４０の第１領域に、ホームミニスクリーン３８１０表示する。ホームミニスクリーン３８１０は、複数のアプリケーションアイコン３８０１、３８０２、３８０３、３８０４、３８０５、３８０６、３８０７、３８０８、通話アプリケーションアイコン３８１１、及びメッセージアプリケーションアイコン３８１３を含む。
【０１６９】
図３８Ａに示されたように、ホームミニスクリーン３８１０が表示された状態で、ホームミニスクリーン３８１０上の複数のアプリケーションアイコン３８０１〜３８０８のうちのいずれか一つのアプリケーションアイコンが選ばれると、携帯端末１００は、選ばれたアイコンのアプリケーション実行画面に対応するアプリケーションミニスクリーンを表示する。例えば、ホームミニスクリーン３８１０上に音楽再生アプリケーションアイコン３８０１が選ばれると、携帯端末１００は、図３８Ｂに示されたように、音楽再生アプリケーションの実行画面に対応する音楽再生アプリケーションミニスクリーン３８２０を表示する。
【０１７０】
さらに、ホームミニスクリーン３８１０上に、ラジオ再生アプリケーションアイコン３８０２が選ばれると、携帯端末１００は、図３８Ｃに示されたように、ラジオ再生アプリケーションの実行画面に対応するラジオ再生アプリケーションミニスクリーン３８３０を表示する。
【０１７１】
ホームミニスクリーン３８１０上に、ボイスレコーダーアプリケーションアイコン３８０３が選ばれると、携帯端末１００は、図３８Ｄに示されたように、ボイスレコーダアプリケーションの実行画面に対応するボイスレコーダアプリケーションミニスクリーン３８４０を表示する。
【０１７２】
ホームミニスクリーン３８１０上のアラームアプリケーションアイコン３８０４が選ばれると、携帯端末１００は、図３８Ｅに示されたように、アラームアプリケーションの実行画面に対応するアラームアプリケーションミニスクリーン３８５０を表示する。
【０１７３】
ホームミニスクリーン３８１０上の計算機アプリケーションアイコン３８０５が選ばれると、携帯端末１００は、図３８Ｆに示されたように、計算機アプリケーションの実行画面に対応する計算機アプリケーションミニスクリーン３８６０を表示する。
【０１７４】
ホームミニスクリーン３８１０上のカレンダーアプリケーションアイコン３８０６が選ばれると、携帯端末１００は、図３８Ｇに示されたように、カレンダーアプリケーションの実行画面に対応するカレンダーアプリケーションミニスクリーン３８７０を表示する。前述のアプリケーションミニスクリーンの他に、携帯端末１００は、多くの他のアプリケーションミニスクリーンが表示できる。
【０１７５】
本発明の様々な実施形態において、前面カバー部２４１０が閉じられた状態で、キーパッド２４５０を通じたテキスト入力があると、携帯端末１００は、直ちにテキスト入力を必要とするアプリケーションを実行し、該アプリケーションに対応するミニスクリーンを表示する。
【０１７６】
図３９Ａ及び３９Ｂは、本発明の一実施形態による、テキスト入力を必要とするアプリケーションを示した図面である。図３９Ａ及び３９Ｂを参照すると、図３９Ａに示されたように、前面カバー部２４１０が閉じられた状態で、キーパッド２４５０を通じたテキスト入力があると、携帯端末１００は、直ちにメモアプリケーションを実行し、メモアプリケーションミニスクリーン３９１０を表示する。さらに、図３９Ｂに示されたように、前面カバー部２４１０が閉じられた状態で、キーパッド２４５０を通じたテキスト入力があると、携帯端末１００は、直ちにメッセージアプリケーションを実行し、メッセージアプリケーションミニスクリーン３９２０を表示する。
【０１７７】
本発明の様々な実施形態において、前面カバー部２４１０が閉じられた状態で、ミニスクリーンをサポートしないアプリケーションが実行されると、携帯端末１００は、前面カバー部２４１０を開放するようにするメッセージが表示できる。
【０１７８】
図４０Ａ及び４０Ｂは、本発明の一実施形態による、前面カバー部が閉じられた状態で、携帯端末１００が表示するカバー開放要請メッセージを示した図面である。
【０１７９】
図４０Ａ及び４０Ｂを参照すると、前面カバー部２４１０が閉じられた状態で、例えば、ミニスクリーンをサポートしないノートアプリケーションが、実行されると、携帯端末１００は、図４０Ａに示されたように、前面カバー部２４１０を開放するように、「Open cover to use application」のメッセージ４０１０を表示する。前面カバー部２４１０が開放されると、携帯端末１００は、図４０Ｂに示したように、ノートアプリケーションに対応するフルスクリーン４０２０を表示する。
【０１８０】
前述のような携帯端末、携帯端末におけるユーザインターフェース方法及び携帯端末のカバーは、コンピュータ読取り可能記録媒体においてコンピュータ読取り可能コードとして実現できる。前記コンピュータ読取り可能記録媒体は、コンピュータ読取り可能データを格納する記録装置のいずれかを含んでもよい。前記記録媒体の例には、ＲＯＭ（Read Only Memory）、ＲＡＭ（Random Access Memory）、光学ディスク、磁気テープ、フロッピディスク、ハードディスク、非揮発性メモリなどが含まれてもよく、また、搬送波（例えば、インターネットを通じた伝送）の形態で実現される媒体も含まれてもよい。また、コンピュータ読取り可能記録媒体は、ネットワークを通じて接続されるコンピュータシステム上で配信でき、コンピュータ読取り可能コードは、格納され、配信方式で実行できる。
【０１８１】
前述の説明から明らかなように、本発明の様々な実施形態において、カバーの一部分に、少なくとも一つのウィンドウが形成されるので、カバーが携帯端末のタッチスクリーンを覆っていても、少なくとも一つのウィンドウを通じて、タッチスクリーン上に表示される情報が見ることができ、ユーザの便利性を高める。
【０１８２】
本発明の様々な実施形態において、携帯端末は、カバー上に画成された少なくとも一つのウィンドウ領域及び非ウィンドウ領域に対応するタッチスクリーンの領域を確認することができ、前記カバーの非ウィンドウ領域に適用される入力により、前記カバーのウィンドウ領域に対応するタッチスクリーンの領域上に、情報の表示を容易に制御することができる。
【０１８３】
本発明の様々な実施形態において、カバーの非ウィンドウ領域を通じてタッチスクリーンに、タッチ入力が適用でき、カバーの非ウィンドウ領域を通じたタッチ入力により、ウィンドウ領域に対応するタッチスクリーンの第１領域における情報表示が制御できる。したがって、ユーザは、携帯端末がカバーにより覆われている状態でも、都合よく情報表示が制御できる。
【０１８４】
本発明の様々な実施形態において、カバー上に形成されるキーパッドを通じてタッチスクリーンに、テキスト入力が可能であるので、携帯端末がカバーにより覆われていても、テキスト入力により携帯端末の機能が制御できる。
【０１８５】
本発明は、特定の実施形態を参照して説明したが、これは、添付の特許請求の範囲及びそれに均等したものにより定められた本発明の思想及び範囲を逸脱することなく、形態及び細部に多様な変更が可能であることは、当業者により理解される。
【符号の説明】
【０１８６】
１００  携帯端末
１１０  制御部
１２０  通信部
１３０  メモリ部
１４０  タッチスクリーン
１５０  入出力部
【図１ａ】
2017511919.tif 000003
【図１ｂ】
2017511919.tif 000004
【図２ａ】
2017511919.tif 000005
【図２ｂ】
2017511919.tif 000006
【図３】
2017511919.tif 000007
【図４ａ】
2017511919.tif 000008
【図４ｂ】
2017511919.tif 000009
【図５ａ】
2017511919.tif 000010
【図５ｂ】
2017511919.tif 000011
【図５ｃ】
2017511919.tif 000012
【図５ｄ】
2017511919.tif 000013
【図６】
2017511919.tif 000014
【図７】
2017511919.tif 000015
【図８】
2017511919.tif 000016
【図９】
2017511919.tif 000017
【図１０】
2017511919.tif 000018
【図１１】
2017511919.tif 000019
【図１２】
2017511919.tif 000020
【図１３】
2017511919.tif 000021
【図１４】
2017511919.tif 000022
【図１５Ａ】
2017511919.tif 000023
【図１５Ｂ】
2017511919.tif 000024
【図１６】
2017511919.tif 000025
【図１７】
2017511919.tif 000026
【図１８】
2017511919.tif 000027
【図１９Ａ】
2017511919.tif 000028
【図１９Ｂ】
2017511919.tif 000029
【図２０Ａ】
2017511919.tif 000030
【図２０Ｂ】
2017511919.tif 000031
【図２１】
2017511919.tif 000032
【図２２ａ】
2017511919.tif 000033
【図２２ｂ】
2017511919.tif 000034
【図２３ａ】
2017511919.tif 000035
【図２３ｂ】
2017511919.tif 000036
【図２４ａ】
2017511919.tif 000037
【図２４ｂ】
2017511919.tif 000038
【図２４ｃ】
2017511919.tif 000039
【図２５】
2017511919.tif 000040
【図２６ａ】
2017511919.tif 000041
【図２６ｂ】
2017511919.tif 000042
【図２６ｃ】
2017511919.tif 000043
【図２７】
2017511919.tif 000044
【図２８Ａ】
2017511919.tif 000045
【図２８Ｂ】
2017511919.tif 000046
【図２８Ｃ】
2017511919.tif 000047
【図２８Ｄ】
2017511919.tif 000048
【図２８Ｅ】
2017511919.tif 000049
【図２９ａ】
2017511919.tif 000050
【図２９ｂ】
2017511919.tif 000051
【図２９ｃ】
2017511919.tif 000052
【図２９ｄ】
2017511919.tif 000053
【図２９ｅ】
2017511919.tif 000054
【図３０ａ】
2017511919.tif 000055
【図３０ｂ】
2017511919.tif 000056
【図３１】
2017511919.tif 000057
【図３２】
2017511919.tif 000058
【図３３】
2017511919.tif 000059
【図３４】
2017511919.tif 000060
【図３５】
2017511919.tif 000061
【図３６】
2017511919.tif 000062
【図３７】
2017511919.tif 000063
【図３８ａ】
2017511919.tif 000064
【図３８ｂ】
2017511919.tif 000065
【図３８ｃ】
2017511919.tif 000066
【図３８ｄ】
2017511919.tif 000067
【図３８ｅ】
2017511919.tif 000068
【図３８ｆ】
2017511919.tif 000069
【図３８ｇ】
2017511919.tif 000070
【図３９Ａ】
2017511919.tif 000071
【図３９Ｂ】
2017511919.tif 000072
【図４０】
2017511919.tif 000073
【国際調査報告】
2017511919.tif 000074
2017511919.tif 000075